(57)【要約】【課題】接続不良を防止する。【解決手段】バックライト装置１２は、ＬＥＤ２４と、ＬＥＤ基板２５と、給電部材４３と、ＬＥＤ基板２５と給電部材４３とのうちの一方側に設けられ、内部に嵌合空間ＩＳを有する凹状接続部（ＬＥＤ基板側コネクタ５５）と、ＬＥＤ基板２５と給電部材４３とのうちの他方側に設けられ、凹状接続部の嵌合空間ＩＳに嵌合されることで電気的な接続が図られるとともに、凹状接続部に対する嵌合方向と交差する方向に沿って並ぶ形で複数に分岐された分岐部５６を有する凸状接続部（給電基板側コネクタ５４）と、凹状接続部に設けられ、凹状接続部に対して分岐部５６の並び方向について隣接する形で配されることで、複数の分岐部５６に、嵌合空間ＩＳに嵌合され得る分岐部５６と嵌合されない分岐部５６とが生じた場合に、嵌合されない分岐部５６に干渉することで凸状接続部の嵌合を規制する規制部６０と、を備える。【選択図】図２０
2013229238.tif 000002
【特許請求の範囲】
【請求項１】
光源と、
前記光源が設けられる光源基板と、
前記光源に給電するための給電部材と、
前記光源基板と前記給電部材とのうちの一方側に設けられ、内部に嵌合空間を有する凹状接続部と、
前記光源基板と前記給電部材とのうちの他方側に設けられ、前記凹状接続部の前記嵌合空間に嵌合されることで電気的な接続が図られるとともに、前記凹状接続部に対する嵌合方向と交差する方向に沿って並ぶ形で複数に分岐された枝部を有する凸状接続部と、
前記凹状接続部に設けられ、前記凹状接続部に対して前記枝部の並び方向について隣接する形で配されることで、複数の前記枝部に、前記嵌合空間に嵌合され得る前記枝部と嵌合されない前記枝部とが生じた場合に、嵌合されない前記枝部に干渉することで前記凸状接続部の嵌合を規制する規制部と、を備える照明装置。
【請求項２】
前記凹状接続部は、前記嵌合空間を取り囲む形の周壁部を有しており、
複数の前記枝部は、隣り合う前記枝部間の間隔が、前記周壁部の厚みよりも大きくなるよう配されている請求項１記載の照明装置。
【請求項３】
複数の前記枝部は、前記光源基板の板面に沿って並ぶ形で配され、前記光源基板は、前記枝部の並び方向に沿って複数が並んで配されるとともにそれぞれが光源基板側接続部を有しているのに対し、前記給電部材は、前記光源基板の並び方向に沿って延在するとともに前記光源基板側接続部に対して嵌合される給電側接続部を複数、前記光源基板の並び方向に沿って並ぶ形で有しており、
前記光源基板側接続部と前記給電側接続部とのうちの一方側が前記凹状接続部とされ、他方側が前記凸状接続部とされているのに対し、前記規制部は、複数の前記凹状接続部の少なくともいずれか１つに設けられている請求項１または請求項２記載の照明装置。
【請求項４】
前記規制部は、複数の前記凹状接続部のうち、少なくとも前記光源基板の並び方向について両端に位置する一対の前記凹状接続部にそれぞれ設けられている請求項３記載の照明装置。
【請求項５】
前記規制部は、複数の前記凹状接続部の全てに設けられている請求項４記載の照明装置。
【請求項６】
前記光源基板側接続部が前記凹状接続部とされ、前記給電側接続部が前記凸状接続部とされている請求項３から請求項５のいずれか１項に記載の照明装置。
【請求項７】
前記規制部は、前記凹状接続部に対して前記枝部の並び方向について両側に隣接する形で一対設けられている請求項１から請求項６のいずれか１項に記載の照明装置。
【請求項８】
前記凸状接続部は、前記給電部材に設けられるのに対して、前記凹状接続部は、前記光源基板における前記光源の設置面に設けられており、
前記規制部は、前記凹状接続部において、前記光源基板における前記光源の設置面から立ち上がる形で設けられている請求項１から請求項７のいずれか１項に記載の照明装置。
【請求項９】
前記規制部は、前記凹状接続部において前記嵌合方向についての前端位置に配されている請求項１から請求項８のいずれか１項に記載の照明装置。
【請求項１０】
前記凸状接続部は、前記給電部材に設けられるのに対し、前記凹状接続部は、前記光源基板に設けられるとともに、前記嵌合空間を取り囲む形の周壁部を有するハウジングと、前記ハウジングに設けられていて前記凸状接続部に接触されることで前記光源基板と前記給電部材とを電気的に接続する端子金具とを有してなり、
前記規制部は、前記ハウジングに一体形成されている請求項１から請求項９のいずれか１項に記載の照明装置。
【請求項１１】
前記規制部は、前記ハウジングの前記周壁部のうち前記嵌合空間に対して前記枝部の並び方向に沿って並ぶ側壁部における前記嵌合空間外に臨む面から外向きに突き出す形態で設けられている請求項１０記載の照明装置。
【請求項１２】
前記凸状接続部は、前記給電部材に設けられるのに対し、前記凹状接続部は、前記光源基板に設けられるとともに、前記嵌合空間を取り囲む形の周壁部を有するハウジングと、前記ハウジングに設けられていて前記凸状接続部に接触されることで前記光源基板と前記給電部材とを電気的に接続する端子金具とを有してなり、
前記規制部は、前記端子金具に一体形成されている請求項１から請求項９のいずれか１項に記載の照明装置。
【請求項１３】
前記端子金具は、前記嵌合空間内に配されるとともに前記凸状接続部に対して接触される給電側接触部と、前記嵌合空間外に配されるとともに前記光源基板に固定される基板固定部とを有してなり、
前記規制部は、前記基板固定部から前記光源基板側とは反対側に向けて立ち上がる形で設けられている請求項１２記載の照明装置。
【請求項１４】
請求項１から請求項１３のいずれか１項に記載の照明装置と、前記照明装置からの光を利用して表示を行う表示パネルとを備える表示装置。
【請求項１５】
請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、光源と対向するようシャーシの開口部を覆う形で配されて光源が発する光を効率的に液晶パネル側へ放出させるための光学部材（拡散シート等）とを備える。上記したバックライト装置の構成部品のうち、光源として例えばＬＥＤを用いる場合があり、その場合には、シャーシ内にＬＥＤを実装したＬＥＤ基板を収容することになる。このようなＬＥＤ基板を備えたバックライト装置の一例として下記特許文献１に記載されたものが知られている。
【先行技術文献】
【特許文献】
【０００３】
【特許文献１】特開２０１２−１８８０９号公報
【発明の概要】
【発明が解決しようとする課題】
【０００４】
上記した特許文献１には、ＬＥＤ基板と、電源であるドライバ基板とが、シャーシを貫通する形で配された基板間コネクタにより接続される構造が記載されている。このようにシャーシ内に配されたＬＥＤ基板をシャーシ外に配された電源に接続するには、コネクタを用いた接続構造を用いる手法が採られているが、近年では液晶表示装置の大画面化の進行に伴い、電源に接続するＬＥＤ基板の数が多くなるとともにその接続に係る作業が煩雑なものとなる傾向にある。このため、ＬＥＤ基板側のコネクタに電源側のコネクタを接続する際に、接続不良が生じる事態が増加しており、作業効率や生産性を悪化させる要因となっていた。
【０００５】
本発明は上記のような事情に基づいて完成されたものであって、接続不良を防止することを目的とする。
【課題を解決するための手段】
【０００６】
本発明の照明装置は、光源と、前記光源が設けられる光源基板と、前記光源に給電するための給電部材と、前記光源基板と前記給電部材とのうちの一方側に設けられ、内部に嵌合空間を有する凹状接続部と、前記光源基板と前記給電部材とのうちの他方側に設けられ、前記凹状接続部の前記嵌合空間に嵌合されることで電気的な接続が図られるとともに、前記凹状接続部に対する嵌合方向と交差する方向に沿って並ぶ形で複数に分岐された枝部を有する凸状接続部と、前記凹状接続部に設けられ、前記凹状接続部に対して前記枝部の並び方向について隣接する形で配されることで、複数の前記枝部に、前記嵌合空間に嵌合され得る前記枝部と嵌合されない前記枝部とが生じた場合に、嵌合されない前記枝部に干渉することで前記凸状接続部の嵌合を規制する規制部と、を備える。
【０００７】
光源基板に設けられている光源に給電部材から給電するには、凹状接続部の嵌合空間に凸状接続部をなす複数の枝部を嵌合させる。ここで、複数の枝部が全て凹状接続部の嵌合空間に嵌合されれば、凸状接続部が凹状接続部に対して正常に電気的に接続されるので、給電部材から光源基板の光源に正常に給電がなされ、もって光源を点灯させることができる。一方、例えば、凸状接続部と凹状接続部とが複数の枝部の並び方向について位置ずれしており、複数の枝部に、凹状接続部の嵌合空間に嵌合され得る枝部と嵌合されない枝部とが生じた場合には、凸状接続部と凹状接続部との電気的な接続が不完全なものとなるおそれがある。このような場合でも、凹状接続部には、凹状接続部に対して枝部の並び方向について隣接する形で規制部が設けられているので、この規制部が凹状接続部の嵌合空間に嵌合されない枝部に干渉することで、凹状接続部に対する凸状接続部の嵌合を規制することができる。嵌合が規制されることをもって作業者は嵌合が正常に行われなかったと判別することができるので、改めて嵌合作業を行って正常な嵌合を図ることができる。これにより、凸状接続部と凹状接続部とに接続不良が生じるのを防ぐことができる。しかも、規制部は、凹状接続部に設けられているから、仮に凸状接続部に設けた場合に比べると、規制部の配置の自由度が高くなっている。
【０００８】
本発明の実施態様として、次の構成が好ましい。
（１）前記凹状接続部は、前記嵌合空間を取り囲む形の周壁部を有しており、複数の前記枝部は、隣り合う前記枝部間の間隔が、前記周壁部の厚みよりも大きくなるよう配されている。このように、隣り合う枝部間の間隔が、周壁部の厚みよりも大きくなると、嵌合空間に嵌合されない枝部が生じた場合に、嵌合されない枝部と嵌合され得る枝部との間に周壁部が入り込むことで、嵌合が許容されるおそれがあるものの、上記した規制部が嵌合されない枝部に干渉することで、嵌合を規制して接続不良を防ぐことができる。ところで、複数の枝部は、隣り合う枝部間の間隔が大きくなるほど、各枝部の電気的な独立性を保つ上で有利となる傾向にある。その一方、凹状接続部が有する周壁部は、その厚みが小さくなるほど凹状接続部を小型に保つ観点から優れる。従って、上記したように隣り合う枝部間の間隔を、周壁部の厚みよりも大きくすることで、複数の枝部の電気的な独立性を十分に確保しつつ、凹状接続部を小型に保つことができる。
【０００９】
（２）複数の前記枝部は、前記光源基板の板面に沿って並ぶ形で配され、前記光源基板は、前記枝部の並び方向に沿って複数が並んで配されるとともにそれぞれが光源基板側接続部を有しているのに対し、前記給電部材は、前記光源基板の並び方向に沿って延在するとともに前記光源基板側接続部に対して嵌合される給電側接続部を複数、前記光源基板の並び方向に沿って並ぶ形で有しており、前記光源基板側接続部と前記給電側接続部とのうちの一方側が前記凹状接続部とされ、他方側が前記凸状接続部とされているのに対し、前記規制部は、複数の前記凹状接続部の少なくともいずれか１つに設けられている。このようにすれば、複数の光源基板の並び方向に沿って延在する給電部材は、光源基板の並び方向に沿って並ぶ形の複数の給電側接続部を有しているから、例えば給電部材を複数の光源基板に対して組み付けることで、複数の給電側接続部を複数の光源基板側接続部に対して一括して嵌合させることができる。これにより、作業効率が良好なものとなる。そして、嵌合に際しては、凹状接続部及び凸状接続部がそれぞれ複数ずつ並んで配されるため、凸状接続部をなす複数の枝部を凹状接続部の嵌合空間に的確に嵌合させるのが難しくなる傾向にあるものの、凹状接続部の嵌合空間に嵌合されない枝部が生じた場合には、その枝部に対して複数の凹状接続部の少なくともいずれか１つに設けられた規制部が干渉することで、凹状接続部に対する凸状接続部の嵌合を規制して接続不良を防止することができる。
【００１０】
（３）前記規制部は、複数の前記凹状接続部のうち、少なくとも前記光源基板の並び方向について両端に位置する一対の前記凹状接続部にそれぞれ設けられている。このようにすれば、嵌合に際して、凹状接続部の嵌合空間に嵌合されない枝部が生じた場合には、その枝部に対して少なくとも光源基板の並び方向について両端に位置する一対の凹状接続部に設けられた規制部が干渉する。仮に、複数の凹状接続部のうち中央側に配されたものにのみ規制部を設けた場合に比べると、光源基板の並び方向に沿って延在する給電部材に撓みや反りが生じたときでも、規制部の嵌合規制機能をより確実に発揮させることができる。これにより、接続不良をより確実に防止することができる。
【００１１】
（４）前記規制部は、複数の前記凹状接続部の全てに設けられている。このようにすれば、凹状接続部に対する凸状接続部の嵌合をさらに確実に規制することができる。
【００１２】
（５）前記光源基板側接続部が前記凹状接続部とされ、前記給電側接続部が前記凸状接続部とされている。このようにすれば、給電部材を複数の光源基板に対して組み付ける際に、複数の光源基板が有する複数の凹状接続部に対して、給電部材が有する複数の凸状接続部が嵌合されることになるから、嵌合をより円滑に行うことができ、組み付けに係る作業性に一層優れる。
【００１３】
（６）前記規制部は、前記凹状接続部に対して前記枝部の並び方向について両側に隣接する形で一対設けられている。このようにすれば、凸状接続部と凹状接続部とが枝部の並び方向について一方側と他方側とのどちらに位置ずれしていた場合でも、一対の規制部のいずれかが嵌合空間に嵌合されない枝部に干渉することで、凹状接続部に対する凸状接続部の嵌合を規制することができる。
【００１４】
（７）前記凸状接続部は、前記給電部材に設けられるのに対して、前記凹状接続部は、前記光源基板における前記光源の設置面に設けられており、前記規制部は、前記凹状接続部において、前記光源基板における前記光源の設置面から立ち上がる形で設けられている。このようにすれば、給電部材に設けられた凸状接続部を、光源基板における光源に設置面に設けられた凹状接続部に嵌合する際に、凸状接続部が凹状接続部の嵌合空間に対して光源基板寄りに片寄った姿勢で嵌合されようとした場合でも、規制部が凹状接続部において、光源基板における光源の設置面から立ち上がる形で設けられているから、嵌合空間に嵌合されない枝部がより確実に規制部に干渉されるようになっている。これにより、接続不良をより確実に防ぐことができる。
【００１５】
（８）前記規制部は、前記凹状接続部において前記嵌合方向についての前端位置に配されている。このようにすれば、複数の枝部に凹状接続部の嵌合空間に嵌合されない枝部が生じた場合、凸状接続部を凹状接続部に対して嵌合する初期段階において、規制部が嵌合空間に嵌合されない枝部に干渉することで、嵌合を規制することができる。これにより、嵌合空間に嵌合され得る枝部が嵌合空間の途中まで嵌合されることが避けられるから、作業者は嵌合が正常に行われなかったのをより容易に判別することができ、作業効率に一層優れる。
【００１６】
（９）前記凸状接続部は、前記給電部材に設けられるのに対し、前記凹状接続部は、前記光源基板に設けられるとともに、前記嵌合空間を取り囲む形の周壁部を有するハウジングと、前記ハウジングに設けられていて前記凸状接続部に接触されることで前記光源基板と前記給電部材とを電気的に接続する端子金具とを有してなり、前記規制部は、前記ハウジングに一体形成されている。このようにすれば、規制部をハウジングに一体形成しているので、規制部に枝部が干渉した場合でも、干渉に伴う応力が光源基板と給電部材とを電気的に接続する端子金具に直接的に作用するのを避けることができる。従って、光源基板や凹状接続部に対する端子金具の接続状態に悪影響が及び難くなっている。また、仮に規制部を端子金具に一体形成した場合に比べると、規制部を配置する上での自由度が高くなっている。
【００１７】
（１０）前記規制部は、前記ハウジングの前記周壁部のうち前記嵌合空間に対して前記枝部の並び方向に沿って並ぶ側壁部における前記嵌合空間外に臨む面から外向きに突き出す形態で設けられている。このようにすれば、嵌合空間に嵌合されない枝部が生じた場合、規制部が嵌合空間に対して枝部の並び方向に沿って並ぶ側壁部における嵌合空間外に臨む面から外向きに突き出す形態とされているから、嵌合されない枝部が規制部に対してより確実に干渉し、接続不良をより確実に防ぐことができる。
【００１８】
（１１）前記凸状接続部は、前記給電部材に設けられるのに対し、前記凹状接続部は、前記光源基板に設けられるとともに、前記嵌合空間を取り囲む形の周壁部を有するハウジングと、前記ハウジングに設けられていて前記凸状接続部に接触されることで前記光源基板と前記給電部材とを電気的に接続する端子金具とを有してなり、前記規制部は、前記端子金具に一体形成されている。このようにすれば、端子金具に規制部を一体形成しているので、仮にハウジングに規制部を一体形成した場合に比べると、嵌合空間に嵌合されない枝部が規制部に干渉したときに、規制部に変形などが生じ難くなる。
【００１９】
（１２）前記端子金具は、前記嵌合空間内に配されるとともに前記凸状接続部に対して接触される給電側接触部と、前記嵌合空間外に配されるとともに前記光源基板に固定される基板固定部とを有してなり、前記規制部は、前記基板固定部から前記光源基板側とは反対側に向けて立ち上がる形で設けられている。このようにすれば、端子金具のうち光源基板に固定される基板固定部は、嵌合空間外に配される部位であるから、この基板固定部に規制部を設けることで、端子金具の形状が複雑化するのを避けることができる。しかも、規制部が基板固定部から光源基板側とは反対側に向けて立ち上がる形で設けられているから、給電部材に設けられた凸状接続部を、凹状接続部の嵌合空間に嵌合する際に、凸状接続部が凹状接続部の嵌合空間に対して光源基板寄りに片寄った姿勢で嵌合されようとした場合に、嵌合空間に嵌合されない枝部がより確実に規制部に干渉するようになっている。これにより、接続不良をより確実に防ぐことができる。
【００２０】
次に、上記課題を解決するために、本発明の表示装置は、上記記載の照明装置と、前記照明装置からの光を利用して表示を行う表示パネルとを備える。
【００２１】
このような表示装置によると、表示パネルに対して光を供給する照明装置が、当該表示パネルとの間で干渉縞を生じさせ難いものであるため、表示品質の優れた表示を実現することが可能となる。
【００２２】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２３】
本発明によれば、接続不良を防止することができる。
【図面の簡単な説明】
【００２４】
【図１】本発明の実施形態１に係るテレビ受信装置の概略構成を示す分解斜視図
【図２】液晶表示装置の概略構成を示す分解斜視図
【図３】液晶パネルの長辺方向に沿った断面構成を示す断面図
【図４】アレイ基板の平面構成を示す拡大平面図
【図５】ＣＦ基板の平面構成を示す拡大平面図
【図６】バックライト装置を構成するシャーシにおける拡散レンズ、ＬＥＤ基板、基板保持部材及び反射シートなどの配置構成を示す平面図
【図７】液晶表示装置の短辺方向（図６のvii-vii線）に沿った断面構成を示す断面図
【図８】液晶表示装置の長辺方向（図６のviii-viii線）に沿った断面構成を示す断面図
【図９】バックライト装置を構成するシャーシにおけるＬＥＤ基板、給電基板及び各配線などの配置構成を示す平面図
【図１０】バックライト装置を構成するシャーシにおけるＬＥＤ駆動回路基板及び各配線などの配置構成を示す底面図
【図１１】ＬＥＤ基板の給電回路に係る電気的構成を表すブロック図
【図１２】シャーシにおけるＬＥＤ基板、給電基板及び各配線などの配置構成を示す拡大平面図
【図１３】ＬＥＤ基板のＬＥＤ基板側コネクタ、及び給電基板の給電基板側コネクタの配置構成を示す平面図
【図１４】図１３のxiv-xiv線断面図
【図１５】図１３のxv-xv線断面図
【図１６】ＬＥＤ基板のＬＥＤ基板側コネクタの正面図
【図１７】ＬＥＤ基板のＬＥＤ基板側コネクタの側面図
【図１８】ＬＥＤ基板のＬＥＤ基板側コネクタに給電基板の給電基板側コネクタを挿入する前の状態を示す平面図
【図１９】図１８のxix-xix線断面図
【図２０】給電基板側コネクタをなす分岐部の一部がＬＥＤ基板側コネクタの嵌合空間に嵌合されずに規制部に干渉した状態を示す平面図
【図２１】給電基板側コネクタをなす分岐部の一部がＬＥＤ基板側コネクタの嵌合空間に嵌合されずに規制部に干渉した状態を示す正面図
【図２２】本発明の実施形態２に係る給電基板側コネクタをなす分岐部の一部がＬＥＤ基板側コネクタの嵌合空間に嵌合されずに規制部に干渉した状態を示す平面図
【図２３】給電基板側コネクタをなす分岐部の一部がＬＥＤ基板側コネクタの嵌合空間に嵌合されずに規制部に干渉した状態を示す正面図
【図２４】本発明の実施形態３に係る給電基板側コネクタをなす分岐部の一部がＬＥＤ基板側コネクタの嵌合空間に嵌合されずに規制部に干渉した状態を示す平面図
【図２５】図２４のxxv-xxv線断面図
【図２６】図２４のxxvi-xxvi線断面図
【図２７】本発明の実施形態４に係る中継コネクタ及びＬＥＤ基板の平面図
【図２８】図２７のxxviii-xxviii線断面図
【図２９】本発明の実施形態５に係るＬＥＤ基板側コネクタの側面図
【図３０】本発明の実施形態６に係るＬＥＤ基板側コネクタの正面図
【図３１】本発明の実施形態７に係るＬＥＤ基板側コネクタの正面図
【図３２】本発明の実施形態８に係るＬＥＤ基板側コネクタの正面図
【図３３】本発明の実施形態９に係るＬＥＤ基板側コネクタの正面図
【図３４】本発明の実施形態１０に係るＬＥＤ基板側コネクタの正断面図
【図３５】本発明の実施形態１１に係るシャーシにおけるＬＥＤ基板、給電基板及び各配線などの配置構成を示す平面図
【図３６】本発明の実施形態１２に係る給電基板側コネクタをなす分岐部の一部がＬＥＤ基板側コネクタの嵌合空間に嵌合されずに規制部に干渉した状態を示す平面図
【図３７】図３６のxxxvii-xxxvii線断面図
【図３８】本発明の実施形態１３に係る給電基板側コネクタをなす分岐部の一部がＬＥＤ基板側コネクタの嵌合空間に嵌合されずに規制部に干渉し、且つ給電基板側規制部が周壁部に干渉した状態を示す平面図
【図３９】本発明の実施形態１４に係る給電基板側コネクタをなす分岐部の一部がＬＥＤ基板側コネクタの嵌合空間に嵌合されずに規制部に干渉した状態を示す平面図
【図４０】本発明の実施形態１５に係る給電基板が正常に組み付けられ、反転組付規制凸部が反転組付規制凹部内に受け入れられた状態を示す平面図
【図４１】給電基板が正常な姿勢から表裏に反転していて、反転組付規制凸部が給電基板に干渉した状態を示す平面図
【図４２】給電基板側コネクタをなす分岐部の一部がＬＥＤ基板側コネクタの嵌合空間に嵌合されずに規制部に干渉した状態を示す平面図
【図４３】本発明の他の実施形態（１）に係るシャーシにおけるＬＥＤ基板、給電基板及び各配線などの配置構成を示す平面図
【図４４】ＬＥＤ基板の給電回路に係る電気的構成を表すブロック図
【図４５】本発明の他の実施形態（２）に係るシャーシにおけるＬＥＤ基板、給電基板及び各配線などの配置構成を示す平面図
【図４６】ＬＥＤ基板の給電回路に係る電気的構成を表すブロック図
【発明を実施するための形態】
【００２５】
＜実施形態１＞
本発明の実施形態１を図１から図２２によって説明する。本実施形態では、液晶表示装置１０について例示する。なお、各図面の一部にはＸ軸、Ｙ軸及びＺ軸を示しており、各軸方向が各図面で示した方向となるように描かれている。また、図７及び図８に示す上側を表側とし、同図下側を裏側とする
【００２６】
（テレビ受信装置）
本実施形態に係るテレビ受信装置ＴＶは、図１に示すように、表示装置である液晶表示装置１０と、当該液晶表示装置１０を挟むようにして収容する表裏両キャビネットＣａ，Ｃｂと、電力供給のための電源回路基板Ｐと、テレビ画像信号を受信可能なチューナー（受信部）Ｔと、チューナーＴから出力されたテレビ画像信号を当該液晶表示装置１０用の画像信号に変換する画像変換回路基板ＶＣと、スタンドＳとを備えて構成される。液晶表示装置１０は、全体として横長（長手）の方形状（矩形状）をなし、長辺方向を水平方向（Ｘ軸方向）と、短辺方向を垂直方向（Ｙ軸方向、鉛直方向）とそれぞれほぼ一致させた状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２７】
（液晶パネル）
液晶表示装置１０における液晶パネル１１の構成について説明する。液晶パネル１１は、全体として横長（長手）の方形状（矩形状）をなしており、図３に示すように、一対の透明な（透光性を有する）ガラス製の基板１１ａ，１１ｂと、両基板１１ａ，１１ｂ間に介在し、電界印加に伴って光学特性が変化する物質である液晶を含む液晶層１１ｃとを備え、両基板１１ａ，１１ｂが液晶層の厚さ分のギャップを維持した状態で図示しないシール剤によって貼り合わせられている。また、両基板１１ａ，１１ｂの外面側には、それぞれ偏光板１１ｄ，１１ｅが貼り付けられている。なお、液晶パネル１１における長辺方向がＸ軸方向と一致し、短辺方向がＹ軸方向と一致している。
【００２８】
両基板１１ａ，１１ｂのうち表側（正面側）がＣＦ基板１１ａとされ、裏側（背面側）がアレイ基板１１ｂとされる。アレイ基板１１ｂの内面、つまり液晶層１１ｃ側（ＣＦ基板１１ａとの対向面側）の面には、図４に示すように、スイッチング素子であるＴＦＴ（Thin Film Transistor）１４及び画素電極１５がマトリクス状（行列状）に多数個並列して設けられるとともに、これらＴＦＴ１４及び画素電極１５の周りには、格子状をなすゲート配線１６及びソース配線１７が取り囲むようにして配設されている。画素電極１５は、長辺方向をＹ軸方向に、短辺方向をＸ軸方向にそれぞれ一致させた縦長（長手）の方形状（矩形状）をなしており、ＩＴＯ（Indium Tin Oxide）或いはＺｎＯ（Zinc Oxide）といった透明電極からなる。ゲート配線１６とソース配線１７とがそれぞれＴＦＴ１４のゲート電極とソース電極とに接続され、画素電極１５がＴＦＴ１４のドレイン電極に接続されている。また、ＴＦＴ１４及び画素電極１５の液晶層１１ｃ側には、図３に示すように、液晶分子を配向するための配向膜１８が設けられている。アレイ基板１１ｂにおける端部には、ゲート配線１６及びソース配線１７から引き回された端子部が形成されており、この端子部には、図示しない液晶駆動用のドライバ部品が異方性導電膜（ACF:Anisotropic Conductive Film）を介して圧着接続され、さらにはその液晶駆動用のドライバ部品が各種配線基板などを介して図示しない表示制御回路基板に電気的に接続されている。この表示制御回路基板は、テレビ受信装置ＴＶにおける画像変換回路基板ＶＣ（図１参照）に接続されるとともに同画像変換回路基板ＶＣからの出力信号に基づいてドライバ部品を介して各配線１６，１７に駆動信号を供給するものとされる。
【００２９】
一方、ＣＦ基板１１ａの内面、つまり液晶層１１ｃ側（アレイ基板１１ｂとの対向面側）の面には、図５に示すように、アレイ基板１１ｂ側の各画素に対応して多数個の着色部Ｒ，Ｇ，Ｂ，Ｙをマトリクス状（行列状）に配列してなるカラーフィルタ１９が設けられている。そして、本実施形態に係るカラーフィルタ１９は、光の三原色である赤色の着色部Ｒ，緑色の着色部Ｇ，青色の着色部Ｂに加えて、黄色の着色部Ｙを有するものとされ、各着色部Ｒ，Ｇ，Ｂ，Ｙが対応した各色（各波長）の光を選択的に透過するものとされる。各着色部Ｒ，Ｇ，Ｂ，Ｙは、画素電極１５と同様に長辺方向をＹ軸方向に、短辺方向をＸ軸方向にそれぞれ一致させた縦長（長手）の方形状（矩形状）をなしている。各着色部Ｒ，Ｇ，Ｂ，Ｙ間には、混色を防ぐため、格子状の遮光層（ブラックマトリクス）ＢＭが設けられている。ＣＦ基板１１ａにおけるカラーフィルタ１９の液晶層１１ｃ側には、図３に示すように、対向電極２０及び配向膜２１が順次積層して設けられている。
【００３０】
カラーフィルタ１９を構成する各着色部Ｒ，Ｇ，Ｂ，Ｙの配置及び大きさについて詳しく説明する。各着色部Ｒ，Ｇ，Ｂ，Ｙは、図５に示すように、Ｘ軸方向を行方向とし、Ｙ軸方向を列方向として行列状に配列されており、各着色部Ｒ，Ｇ，Ｂ，Ｙにおける列方向（Ｙ軸方向）の寸法は全て同一とされるものの、行方向（Ｘ軸方向）の寸法については各着色部Ｒ，Ｇ，Ｂ，Ｙによって異なるものとされる。詳しくは、各着色部Ｒ，Ｇ，Ｂ，Ｙは、図５に示す左側から赤色の着色部Ｒ、緑色の着色部Ｇ、青色の着色部Ｂ、黄色の着色部Ｙの順で行方向に沿って並べられており、このうち赤色の着色部Ｒ及び青色の着色部Ｂの行方向の寸法が、黄色の着色部Ｙ及び緑色の着色部Ｇの行方向の寸法よりも相対的に大きなものとされる。つまり、行方向の寸法が相対的に大きな着色部Ｒ，Ｂと、行方向の寸法が相対的に小さな着色部Ｇ，Ｙとが行方向について交互に繰り返し配されていることになる。これにより、赤色の着色部Ｒ及び青色の着色部Ｂの面積は、緑色の着色部Ｇ及び黄色の着色部Ｙの面積よりも大きなものとされている。青色の着色部Ｂと赤色の着色部Ｒとの面積は、互いに等しいものとされる。同様に緑色の着色部Ｇと黄色の着色部Ｙとの面積は、互いに等しいものとされる。なお、図３及び図５では、赤色の着色部Ｒ及び青色の着色部Ｂの面積が、黄色の着色部Ｙ及び緑色の着色部Ｇの面積の約１．６倍程度とされる場合を代表して図示しているが、この面積比率の具体的な数値は適宜に変更可能である。
【００３１】
カラーフィルタ１９が上記のような構成とされるのに伴い、アレイ基板１１ｂにおいては、図４に示すように、画素電極１５における行方向（Ｘ軸方向）の寸法が列によって異なるものとされる。すなわち、各画素電極１５のうち、赤色の着色部Ｒ及び青色の着色部Ｂと重畳するものの行方向の寸法及び面積は、黄色の着色部Ｙ及び緑色の着色部Ｇと重畳するものの行方向の寸法及び面積よりも相対的に大きなものとされる。また、ゲート配線１６については、全て等ピッチで配列されているのに対し、ソース配線１７については、画素電極１５の行方向の寸法に応じて２通りのピッチで配列されている。
【００３２】
上記のように本実施形態に係る液晶表示装置１０は、４色の着色部Ｒ，Ｇ，Ｂ，Ｙからなるカラーフィルタ１９を備える液晶パネル１１を用いていることから、図１に示すように、テレビ受信装置ＴＶにおいては専用の画像変換回路基板ＶＣを備えるものとされる。すなわち、この画像変換回路基板ＶＣは、チューナーＴから出力されたテレビ画像信号を青色、緑色、赤色、黄色の各色の画像信号に変換し、生成された各色の画像信号を表示制御回路基板に出力することができる。この画像信号に基づいて表示制御回路基板は、各配線１６，１７を介して液晶パネル１１における各色の画素に対応したＴＦＴ１４を駆動し、各色の着色部Ｒ，Ｇ，Ｂ，Ｙを透過する透過光量を適宜制御できるものとされる。
【００３３】
（バックライト装置）
続いて、液晶表示装置１０におけるバックライト装置１２の構成について説明する。バックライト装置１２は、図２に示すように、光出射面側（液晶パネル１１側）に開口する光出射部を有した略箱型をなすシャーシ２２と、シャーシ２２の光出射部を覆うようにして配される光学部材２３群と、シャーシ２２の外縁部に沿って配され光学部材２３群の外縁部をシャーシ２２との間で挟んで保持するフレーム２６とを備える。さらに、シャーシ２２内には、光学部材２３（液晶パネル１１）の直下となる位置に対向状に配されるＬＥＤ２４と、ＬＥＤ２４が実装されたＬＥＤ基板２５と、ＬＥＤ基板２５においてＬＥＤ２４に対応した位置に取り付けられる拡散レンズ２７とが備えられる。このように、本実施形態に係るバックライト装置１２は、いわゆる直下型とされる。その上、シャーシ２２内には、ＬＥＤ基板２５をシャーシ２２との間で保持することが可能な基板保持部材２８と、シャーシ２２内の光を光学部材２３側に反射させる反射シート２９とが備えられる。さらには、シャーシ２２の裏面側（液晶パネル１１側とは反対側）には、ＬＥＤ２４に駆動電力を供給するためのＬＥＤ駆動回路基板３０が取り付けられている。続いて、バックライト装置１２の各構成部品について詳しく説明する。
【００３４】
（シャーシ）
シャーシ２２は、金属製とされ、図６から図８に示すように、液晶パネル１１と同様に横長な方形状（矩形状、長方形状）をなす底板２２ａと、底板２２ａの各辺（一対の長辺及び一対の短辺）の外端からそれぞれ表側（光出射側）に向けて立ち上がる側板２２ｂと、各側板２２ｂの立ち上がり端から外向きに張り出す受け板２２ｃとからなり、全体としては表側に向けて開口した浅い略箱型（略浅皿状）をなしている。シャーシ２２は、その長辺方向がＸ軸方向（水平方向）と一致し、短辺方向がＹ軸方向（鉛直方向）と一致している。シャーシ２２における各受け板２２ｃには、表側からフレーム２６及び次述する光学部材２３が載置可能とされる。各受け板２２ｃには、フレーム２６がねじ止めされている。シャーシ２２の底板２２ａには、基板保持部材２８を取り付けるための取付孔が開口して設けられている。取付孔は、底板２２ａにおいて基板保持部材２８の取付位置に対応して複数分散配置されている。
【００３５】
（光学部材）
光学部材２３は、図２に示すように、液晶パネル１１及びシャーシ２２と同様に平面に視て横長の方形状をなしている。光学部材２３は、図７及び図８に示すように、その外縁部が受け板２２ｃに載せられることで、シャーシ２２の光出射部を覆うとともに、液晶パネル１１とＬＥＤ２４（ＬＥＤ基板２５）との間に介在して配される。光学部材２３は、裏側（ＬＥＤ２４側、光出射側とは反対側）に配される拡散板２３ａと、表側（液晶パネル１１側、光出射側）に配される光学シート２３ｂとから構成される。拡散板２３ａは、所定の厚みを持つほぼ透明な樹脂製で板状をなす基材内に拡散粒子を多数分散して設けた構成とされ、透過する光を拡散させる機能を有する。光学シート２３ｂは、拡散板２３ａと比べると板厚が薄いシート状をなしており、２枚が積層して配されている。具体的な光学シート２３ｂの種類としては、例えば拡散シート、レンズシート、反射型偏光シートなどがあり、これらの中から適宜に選択して使用することが可能である。なお、使用する光学シート２３ｂの枚数や種類は、上記以外にも適宜に変更可能である。
【００３６】
（フレーム）
フレーム２６は、図２に示すように、液晶パネル１１及び光学部材２３の外周縁部に沿う枠状をなしている。このフレーム２６と各受け板２２ｃとの間で光学部材２３における外縁部を挟持可能とされている（図７及び図８）。また、このフレーム２６は、液晶パネル１１における外縁部を裏側から受けることができ、表側に配されるベゼル１３との間で液晶パネル１１の外縁部を挟持可能とされる（図７及び図８）。
【００３７】
（ＬＥＤ）
ＬＥＤ２４は、図８に示すように、ＬＥＤ基板２５上に実装されるとともにＬＥＤ２４に対する実装面とは反対側の面が発光面となる、いわゆる頂面発光型とされる。ＬＥＤ２４は、発光源として青色光を発するＬＥＤチップを備えるとともに、青色光により励起して発光する蛍光体として、緑色蛍光体と赤色蛍光体とを備えている。詳しくは、ＬＥＤ２４は、ＬＥＤ基板２５に固着される基板部上に例えばＩｎＧａＮ系の材料からなるＬＥＤチップを樹脂材により封止した構成とされる。基板部に実装されるＬＥＤチップは、主発光波長が４２０ｎｍ〜５００ｎｍの範囲、つまり青色の波長領域に存するものとされ、色純度に優れた青色光（青色の単色光）を発することが可能とされる。具体的なＬＥＤチップの主発光波長としては、例えば４５１ｎｍが好ましい。その一方、ＬＥＤチップを封止する樹脂材には、ＬＥＤチップから発せられた青色光により励起されることで緑色光を発する緑色蛍光体と、ＬＥＤチップから発せられた青色光により励起されることで赤色光を発する赤色蛍光体とが所定の割合でもって分散配合されている。これらＬＥＤチップから発せられる青色光（青色成分の光）と、緑色蛍光体から発せられる緑色光（緑色成分の光）と、赤色蛍光体から発せられる赤色光（赤色成分の光）とにより、ＬＥＤ２４は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ２４は、ＬＥＤチップからの青色成分の光と、黄色成分の光とを併せ持っている、とも言える。このＬＥＤ２４の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ２４の色度を調整することが可能とされる。なお、本実施形態では、緑色蛍光体は、５００ｎｍ以上５７０ｎｍ以下の緑色波長領域に主発光ピークを有するものとされ、赤色蛍光体は、６００ｎｍ以上７８０ｎｍ以下の赤色波長領域に主発光ピークを有するものとされる。
【００３８】
続いて、ＬＥＤ２４に備えられる緑色蛍光体及び赤色蛍光体について詳しく説明する。緑色蛍光体としては、サイアロン系蛍光体の一種であるβ−ＳｉＡｌＯＮを用いるのが好ましい。サイアロン系蛍光体は、窒化ケイ素のシリコン原子の一部がアルミニウム原子に、窒素原子の一部が酸素原子に置換された物質、つまり窒化物である。窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。サイアロン系蛍光体には、付活剤として希土類元素（例えばＴｂ，Ｙｇ，Ａｇなど）が用いられる。サイアロン系蛍光体の一種であるβ−ＳｉＡｌＯＮは、β型窒化ケイ素結晶にアルミニウムと酸素とが固溶した一般式Ｓｉ6-zＡｌzＯzＮ8-z：Ｅｕ（ｚは固溶量を示す）または（Ｓｉ，Ａｌ）6（Ｏ，Ｎ）8：Ｅｕにより表される物質である。本実施形態に係るβ−ＳｉＡｌＯＮには、付活剤として例えばＥｕ（ユーロピウム）が用いられており、それにより発光光である緑色光の色純度が特に高いものとされるので、ＬＥＤ２４の色度を調整する上で極めて有用である。一方、赤色蛍光体としては、カズン系蛍光体の一種であるカズンを用いるのが好ましい。カズン系蛍光体は、カルシウム原子（Ｃａ）、アルミニウム原子（Ａｌ）、ケイ素原子（Ｓｉ）、窒素原子（Ｎ）を含む窒化物であり、例えば硫化物や酸化物などからなる他の蛍光体に比べると、発光効率に優れるとともに耐久性に優れている。カズン系蛍光体は、付活剤として希土類元素（例えばＴｂ，Ｙｇ，Ａｇなど）が用いられる。カズン系蛍光体の一種であるカズンは、付活剤としてＥｕ（ユーロピウム）が用いられるとともに、組成式ＣａＡｌＳｉＮ3：Ｅｕにより示される。
【００３９】
（ＬＥＤ基板）
ＬＥＤ基板２５は、図６に示すように、平面に視て横長の方形状をなす基材を有しており、長辺方向がＸ軸方向と一致し、短辺方向がＹ軸方向と一致する状態でシャーシ２２内において底板２２ａに沿って延在しつつ収容されている。このＬＥＤ基板２５の基材の板面のうち、表側を向いた板面（光学部材２３側を向いた面）には、ＬＥＤ２４が表面実装されている。実装されたＬＥＤ２４は、その発光面が光学部材２３（液晶パネル１１）と対向状をなすとともに、その光軸がＺ軸方向、つまり液晶パネル１１の表示面と直交する方向と一致している。ＬＥＤ基板２５には、その長辺方向（Ｘ軸方向）に沿って複数（例えば、図６では１０個）のＬＥＤ２４が直線的に並んで配されるとともに、並列されたＬＥＤ２４に接続される配線パターン２５ｂ（図１１を参照）が形成されている。各ＬＥＤ２４の配列ピッチは、ほぼ一定となっており、つまり各ＬＥＤ２４は、Ｘ軸方向についてほぼ等間隔に配列されていると言える。
【００４０】
上記した構成のＬＥＤ基板２５は、図６に示すように、シャーシ２２内においてＸ軸方向及びＹ軸方向にそれぞれ複数ずつ、互いに長辺方向及び短辺方向を揃えた状態で並列して配置されている。つまり、ＬＥＤ基板２５及びそこに実装されたＬＥＤ２４は、シャーシ２２内において共にＸ軸方向（シャーシ２２及びＬＥＤ基板２５の長辺方向）を行方向とし、Ｙ軸方向（シャーシ２２及びＬＥＤ基板２５の短辺方向）を列方向として行列状に配置（マトリクス状に配置、平面配置）されている。具体的には、ＬＥＤ基板２５は、シャーシ２２内においてＸ軸方向（行方向）に２枚ずつ、Ｙ軸方向（列方向）に９枚ずつ、合計１８枚が行列状に並列して配置されている。ＬＥＤ基板２５は、Ｙ軸方向について配列ピッチがほぼ等しい等ピッチ配列とされており、言い換えるとほぼ等間隔に配されている。また、ＬＥＤ基板２５のうち基板保持部材２８の取付位置に対応する位置には、基板保持部材２８を通すための貫通孔２５ａが形成されている（図７及び図８）。
【００４１】
また、ＬＥＤ基板２５の基材は、合成樹脂材料（具体的には紙フェノールまたはガラスエポキシ樹脂など）からなるものとされ、その表面に金属膜（具体的には銅箔など）からなる配線パターン２５ｂが形成され、さらには最外表面には、光の反射性に優れた白色を呈する反射層（図示せず）が形成された構成とされる。なお、ＬＥＤ基板２５の基材に用いる材料としては、金属材料（例えばアルミニウムなど）を用いることも可能である。
【００４２】
（拡散レンズ）
拡散レンズ２７は、ほぼ透明で（高い透光性を有し）且つ屈折率が空気よりも高い合成樹脂材料（例えばポリカーボネートやアクリルなど）からなる。拡散レンズ２７は、図６及び図８に示すように、所定の厚みを有するとともに、平面に視て略円形状に形成されており、ＬＥＤ基板２５に対して各ＬＥＤ２４を表側から個別に覆うよう、つまり平面に視て各ＬＥＤ２４と重畳するようそれぞれ取り付けられている。そして、この拡散レンズ２７は、ＬＥＤ２４から発せられた指向性の強い光を拡散させつつ出射させることができる。つまり、ＬＥＤ２４から発せられた光は、拡散レンズ２７を介することにより指向性が緩和されるので、隣り合うＬＥＤ２４間の間隔を広くとってもその間の領域が暗部として視認され難くなる。これにより、ＬＥＤ２４の設置個数を少なくすることが可能となっている。この拡散レンズ２７は、平面に視てＬＥＤ２４とほぼ同心となる位置に配されている。なお、図７では、基板保持部材２８の断面構成を図示しているため、拡散レンズ２７については紙面奥側に配されたものの側面が図示されている。
【００４３】
（基板保持部材）
基板保持部材２８について説明する。基板保持部材２８は、ポリカーボネートなどの合成樹脂製とされており、表面が光の反射性に優れた白色を呈する。基板保持部材２８は、図６から図８に示すように、ＬＥＤ基板２５の板面に沿う本体部２８ａと、本体部２８ａから裏側、つまりシャーシ２２側に向けて突出してシャーシ２２に固定される固定部２８ｂとを備える。本体部２８ａは、平面に視て略円形の板状をなすとともに、シャーシ２２の底板２２ａとの間で少なくともＬＥＤ基板２５を挟持可能とされる。固定部２８ｂは、ＬＥＤ基板２５及びシャーシ２２の底板２２ａにおける基板保持部材２８の取付位置に対応してそれぞれ形成された挿通孔２５ａ及び取付孔を貫通しつつ底板２２ａに対して係止可能とされる。この基板保持部材２８は、図６に示すように、ＬＥＤ基板２５の面内において複数が適宜に分散配置されており、Ｘ軸方向について拡散レンズ２７（ＬＥＤ２４）に対して隣り合う位置に配されている。
【００４４】
なお、基板保持部材２８には、図６及び図８に示すように、本体部２８ａとシャーシ２２の底板２２ａとの間で反射シート２９の底部２９ａを介することなくＬＥＤ基板２５を挟持するもの（第１基板保持部材）と、本体部２８ａとシャーシ２２の底板２２ａとの間でＬＥＤ基板２５と共に反射シート２９の底部２９ａを挟持するもの（第２基板保持部材）との２種類が含まれている。このうち、ＬＥＤ基板２５と共に反射シート２９の底部２９ａを挟持する基板保持部材２８（第２基板保持部材）には、本体部２８ａから表側に突出する支持部２８ｃが設けられたものと、支持部２８ｃを有さないものとの２種類が含まれている。この支持部２８ｃは、光学部材２３（直接的には拡散板２３ａ）を裏側から支持することが可能とされ、それによりＬＥＤ２４と光学部材２３とのＺ軸方向の位置関係を一定に維持することができるとともに光学部材２３の不用意な変形を規制することができる。
【００４５】
（反射シート）
反射シート２９は、合成樹脂製とされ、表面が光の反射性に優れた白色を呈するものとされる。反射シート２９は、図６から図８に示すように、シャーシ２２の内面のほぼ全域にわたって敷設される大きさを有しているので、シャーシ２２内に並列して配された全ＬＥＤ基板２５を表側から一括して覆うことが可能とされる。この反射シート２９によりシャーシ２２内の光を光学部材２３側に向けて効率的に立ち上げることができる。反射シート２９は、シャーシ２２の底板２２ａに沿って延在するとともに底板２２ａの大部分を覆う大きさの底部２９ａと、底部２９ａの各外端から表側に立ち上がるとともに底部２９ａに対して傾斜状をなす４つの立ち上がり部２９ｂと、各立ち上がり部２９ｂの外端から外向きに延出するとともにシャーシ２２の受け板２２ｃに載せられる延出部２９ｃとから構成されている。この反射シート２９の底部２９ａが各ＬＥＤ基板２５における表側の面、つまりＬＥＤ２４の実装面に対して表側に重なるよう配される。また、反射シート２９の底部２９ａには、各拡散レンズ２７（各ＬＥＤ２４）と平面視重畳する位置に各拡散レンズ２７を挿通するレンズ挿通孔が開口して設けられている。
【００４６】
また、底部２９ａには、各基板保持部材２８と平面視重畳する位置に固定部２８ｂを通すための保持部材挿通孔が開口して設けられており、特に底部２９ａを介することなくＬＥＤ基板２５を保持する基板保持部材２８（第１基板保持部材）に対応する保持部材挿通孔については、その本体部２８ａをも通すことが可能な大きさとされている。これにより、シャーシ２２内に収容したＬＥＤ基板２５を予め上記基板保持部材２８（第１基板保持部材）によってシャーシ２２の底板２２ａに保持させることができ、その後反射シート２９をシャーシ２２内に敷設する際に、底部２９ａが上記基板保持部材２８（第１基板保持部材）の本体部２８ａに乗り上げることが回避される。なお、底部２９ａは、シャーシ２２内に敷設された後に取り付けられる基板保持部材２８（第２基板保持部材）によってＬＥＤ基板２５と共にシャーシ２２に保持されて浮きや撓みが生じ難いものとされる。
【００４７】
（液晶パネルの４原色化、及びカラーフィルタの着色部の面積比率を異ならせることの意義）
なお、既述した通り本実施形態に係る液晶パネル１１のカラーフィルタ１９は、図３及び図５に示すように、光の３原色である各着色部Ｒ，Ｇ，Ｂに加えて黄色の着色部Ｙを有しているので、透過光により表示される表示画像の色域が拡張されており、もって色再現性に優れた表示を実現できるものとされる。しかも、黄色の着色部Ｙを透過した光は、視感度のピークに近い波長を有することから、人間の目には少ないエネルギーでも明るく知覚される傾向とされる。これにより、バックライト装置１２が有するＬＥＤ２４の出力を抑制しても十分な輝度を得ることができることとなり、ＬＥＤ２４の消費電力を低減でき、もって環境性能にも優れる、といった効果が得られる。
【００４８】
その一方、上記のような４原色タイプの液晶パネル１１を用いると、液晶パネル１１の表示画像が全体として黄色味を帯び易くなる傾向とされる。これを回避するため、本実施形態に係るバックライト装置１２では、ＬＥＤ２４における色度が黄色の補色である青色気味に調整されており、それにより表示画像における色度を補正するようにしている。このこともあって、既述したようにバックライト装置１２が有するＬＥＤ２４は、主発光波長が青色の波長領域に存するものとされ、青色の波長領域に存する光の発光強度が最も高いものとされている。
【００４９】
上記のようにＬＥＤ２４における色度を調整するに際しては、その色度を白色から青色に近づけるほど、その発光光の輝度が低下する傾向にあることが本願発明者の研究により判明した。そこで、本実施形態においては、カラーフィルタ１９を構成する青色の着色部Ｂの面積比率を緑色の着色部Ｇ及び黄色の着色部Ｙよりも相対的に大きくするようにしており、それによりカラーフィルタ１９の透過光に、黄色の補色である青色光をより多く含ませることができる。これにより、表示画像の色度を補正すべくＬＥＤ２４の色度を調整する上で、ＬＥＤ２４の色度をそれほど青色気味に調整する必要がなくなり、もって色度調整に伴うＬＥＤ２４の輝度低下が抑制することが可能とされる。
【００５０】
さらには、本願発明者の研究によれば、４原色タイプの液晶パネル１１を用いると、液晶パネル１１の出射光のうち特に赤色光の明度が低下することが判明している。これは、４原色タイプの液晶パネル１１では、３原色タイプのものに比べると、１つの画素を構成するサブ画素が３つから４つに増加するため、個々のサブ画素の面積は減少し、それに起因して特に赤色光の明度が低下している、と推考される。そこで、本実施形態においては、カラーフィルタ１９を構成する赤色の着色部Ｒの面積比率を緑色の着色部Ｇ及び黄色の着色部Ｙよりも相対的に大きくするようにしており、それによりカラーフィルタ１９の透過光に赤色光をより多く含ませることができ、もってカラーフィルタ１９の４色化に伴って生じる赤色光の明度低下を抑制することができる。
【００５１】
（ＬＥＤ基板の給電回路）
続いて、ＬＥＤ基板２５の給電回路の概略について説明する。上記したようにシャーシ２２内に収容されたＬＥＤ基板２５に実装されている各ＬＥＤ２４には、図１１に示すように、シャーシ２２外に配されたＬＥＤ駆動回路基板（電源基板）３０からの電力が、各配線３１〜３３及び一対の給電基板４３などを介して供給されることで、その駆動が制御されるようになっている。なお、ＬＥＤ駆動回路基板３０は、当該液晶表示装置１０の電力供給源である電源回路基板Ｐ（図１参照）に接続されるとともに電力の供給を受けるものとされている。
【００５２】
上記した各配線３１〜３３には、図９及び図１１に示すように、ＬＥＤ駆動回路基板３０の正極側と一方の給電基板４３（正極側給電基板４７）とを電気的に接続する正極側配線３１と、ＬＥＤ駆動回路基板３０の負極側と他方の給電基板４３（負極側給電基板４８）とを電気的に接続する負極側配線３２と、一対の給電基板４３（正極側給電基板４７及び負極側給電基板４８）同士を電気的に接続する中継配線３３とが含まれている。上記した給電基板４３には、正極側配線３１及び中継配線３３に電気的に接続される正極側給電基板４７と、負極側配線３２及び中継配線３３に電気的に接続される負極側給電基板４８とが含まれている。そして、シャーシ２２内においてＸ軸方向について隣り合う一対のＬＥＤ基板２５には、正極側給電基板４７が電気的に接続される正極側ＬＥＤ基板３４と、負極側給電基板４８が電気的に接続される負極側ＬＥＤ基板３５とが含まれている。つまり、ＬＥＤ基板２５は、Ｘ軸方向（水平方向）について図９及び図１１に示す左右に隣り合う一対のものが１つの組を構成しており、この組をなす正極側ＬＥＤ基板３４及び負極側ＬＥＤ基板３５上のＬＥＤ２４群が各配線３１〜３３及び各給電基板４７，４８によってＬＥＤ駆動回路基板３０に対して直列に接続されている。正極側ＬＥＤ基板３４及び負極側ＬＥＤ基板３５は、シャーシ２２内においてそれぞれＹ軸方向に沿って複数（図９では９つ）ずつ並んで配されており、９つの組を構成している。つまり、ＬＥＤ基板２５に対する給電回路は、Ｙ軸方向に沿って並ぶ各ＬＥＤ基板２５の組毎に独立しており、全部で９つの系統が存在している。その上で、正極側給電基板４７は、Ｙ軸方向に沿って並ぶ複数の正極側ＬＥＤ基板３４に対して一括して接続されるのに対し、負極側給電基板４８は、Ｙ軸方向に沿って並ぶ複数の負極側ＬＥＤ基板３５に対して一括して接続されている。なお、図９では、基板保持部材２８の図示を省略している。また、図１１では、シャーシ２２内においてＸ軸方向に沿って並ぶ一対で一組のＬＥＤ基板２５のみを代表して図示するとともに、見やすさを考慮して給電基板側コネクタ５４及びＬＥＤ基板側コネクタ５５の位置関係を左右逆にして図示している。
【００５３】
（ＬＥＤ駆動回路基板）
ＬＥＤ駆動回路基板３０は、図１０に示すように、シャーシ２２の底板２２ａにおける裏側、つまりＬＥＤ基板２５が配された面とは反対側の面に取り付けられている。言い換えると、ＬＥＤ駆動回路基板３０は、ＬＥＤ基板２５との間でシャーシ２２の底板２２ａを表裏から挟み込んでいることになる。ＬＥＤ駆動回路基板３０には、後述する正極側配線３１の正極側電源基板用配線コネクタ３９が嵌合接続される正極側電源基板コネクタ３０ａと、負極側配線３２の負極側電源基板用配線コネクタ４０が嵌合接続される負極側電源基板コネクタ３０ｂとが設けられている。正極側電源基板コネクタ３０ａには、図１１に示すように、正極側電源端子部３０ｃが内蔵されているのに対し、負極側電源基板コネクタ３０ｂには、負極側電源端子部３０ｄが内蔵されている。これら正極側電源端子部３０ｃ及び負極側電源端子部３０ｄは、後述する正極側配線３１及び負極側配線３２と同数ずつ備えられており、その数は後述する給電回路の系統数（Ｙ軸方向に沿って並ぶＬＥＤ基板２５の組数）と一致している。さらには、ＬＥＤ駆動回路基板３０には、上記した正極側電源端子部３０ｃと負極側電源端子部３０ｄとの間に所定の電圧を付与することで、各ＬＥＤ基板２５が備えるＬＥＤ２４に直流電流を供給してこれらを駆動するＬＥＤ駆動部３０ｅが備えられている。このＬＥＤ駆動部３０ｅは、正極側電源端子部３０ｃ及び負極側電源端子部３０ｄの組（給電回路の系統）毎に異なる電圧を付与することが可能とされている。なお、ＬＥＤ駆動回路基板３０は、図１０に示すように、シャーシ２２において鉛直方向について上側に偏心した位置で、且つ水平方向について図１０に示す左側（後述する負極側ＬＥＤ基板３５側）に偏心した位置に配されている。
【００５４】
（配線挿通孔）
上記したＬＥＤ駆動回路基板３０及びＬＥＤ基板２５は、図９及び図１０に示すように、シャーシ２２の底板２２ａを挟んで互いに反対側に配されていることから、シャーシ２２の底板２２ａには、これらを接続する正極側配線３１及び負極側配線３２を通すための配線挿通孔３６が貫通形成されている。配線挿通孔３６は、シャーシ２２の底板２２ａにおける外縁部に一対配されており、詳しくは底板２２ａのうち鉛直方向の上側における両角部近傍にそれぞれ配されている。一対の配線挿通孔３６のうち、一方（図９に示す左側、図１０に示す右側）の配線挿通孔３６が正極側配線３１のみを挿通するのに対し、他方（図９に示す右側、図１０に示す左側）の配線挿通孔３６が負極側配線３２のみを挿通するものとされる。一対の配線挿通孔３６のうち正極側配線３１専用のものは、シャーシ２２の底板２２ａにおいて、Ｘ軸方向について正極側給電基板４７側の端部に配されているのに対し、負極側配線３２専用のものは、シャーシ２２の底板２２ａにおいて、Ｘ軸方向について負極側給電基板４８側の端部に配されている。
【００５５】
（配線保護部材及び配線保持部材）
さらには、底板２２ａには、配線挿通孔３６の孔縁を取り囲む形の配線保護部材３７が取り付けられている。配線保護部材３７は、合成樹脂製とされており、配線挿通孔３６の孔縁を全周にわたって覆うとともにその孔縁を表裏から挟み込むことでシャーシ２２に対して取り付け状態に保持されている。配線保護部材３７には、配線挿通孔３６と平面に視て重畳するとともに配線挿通孔３６よりも一回り小さな開口部３７ａが形成されており、各配線３１，３２はこの開口部３７ａを通されることで、シャーシ２２の内外を行き来することができる。また、シャーシ２２の底板２２ａには、各配線３１〜３３の配索経路上（シャーシ２２の外縁部）に位置するとともにそこに存在する各配線３１〜３３を束ねた状態に保持する配線保持部材３８が設けられている。配線保持部材３８は、合成樹脂製で開閉可能なバンド状をなしており、各配線３１〜３３の配索経路においてほぼ等間隔に複数分散配置され、シャーシ２２の外縁部に取り付けられている。配線保持部材３８は、シャーシ２２の底板２２ａの内面（ＬＥＤ基板２５が配された面）側と、外面（ＬＥＤ駆動回路基板３０が配された面）側とにそれぞれ配されている。
【００５６】
（各配線）
次に、各配線３１〜３３についてその概略を説明する。各配線３１〜３３は、図９に示すように、いずれも給電回路の系統数と同数本ずつの被覆電線を有しており、一纏めに束ねられた状態でシャーシ２２の外縁部に位置するよう配されている。詳しくは、各配線３１〜３３は、シャーシ２２内においては、長辺側の側板２２ｂと、長辺側の側板２２ｂに隣り合うＬＥＤ基板２５との間に保有されるＸ軸方向に沿った間隙を利用して配索されるとともに、反射シート２９における傾斜状をなす長辺側の立ち上がり部２９ｂによって全域にわたって表側から覆われている（図６及び図９を参照）。各配線３１〜３３のうち、正極側配線３１及び負極側配線３２は、シャーシ２２のうち図９に示す上側の外縁部に配されるのに対し、中継配線３３は、シャーシ２２のうち図９に示す下側、つまり正極側配線３１及び負極側配線３２とは反対側の外縁部に配されている。各配線３１〜３３の両端末には、それぞれ配線コネクタ３９〜４２，５２，５３が設けられており、これら各配線コネクタ３９〜４２，５２，５３が対応するＬＥＤ駆動回路基板３０の各電源基板コネクタ３０ａ，３０ｂまたは後述する給電基板４３の各配線用給電基板コネクタ４９〜５１に対して嵌合接続可能とされている。以下、各配線３１〜３３及び各配線コネクタ３９〜４２，５２，５３について個別に詳しく説明する。
【００５７】
（各配線コネクタ）
先に各配線コネクタ３９〜４２，５２，５３について説明する。正極側配線３１における一方の端末には、図１０に示すように、ＬＥＤ駆動回路基板３０における正極側電源基板コネクタ３０ａに嵌合接続される正極側電源基板用配線コネクタ３９が設けられている。正極側電源基板用配線コネクタ３９には、図１１に示すように、正極側配線３１の一端側に接続された正極側配線端子部３９ａが内蔵されており、この正極側配線端子部３９ａが正極側電源基板コネクタ３０ａ内の正極側電源端子部３０ｃに導通接触可能とされる。これに対して、負極側配線３２における一方の端末には、ＬＥＤ駆動回路基板３０における負極側電源基板コネクタ３０ｂに嵌合接続される負極側電源基板用配線コネクタ４０が設けられている。負極側電源基板用配線コネクタ４０には、負極側配線３２の一端側に接続された負極側配線端子部４０ａが内蔵されており、この負極側配線端子部４０ａが負極側電源基板コネクタ３０ｂ内の負極側電源端子部３０ｄに導通接触可能とされる。
【００５８】
正極側配線３１における他方の端末には、図９に示すように、正極側給電基板４７における一方の端部に設けられた正極配線用給電基板コネクタ４９に嵌合接続される正極側給電基板用正極配線コネクタ４１が設けられている。この正極側給電基板用正極配線コネクタ４１には、図１１に示すように、正極側配線３１の他端側に接続された正極側配線端子部４１ａが内蔵されており、この正極側配線端子部４１ａが正極配線用給電基板コネクタ４９内の正極側給電基板端子部４９ａに導通接触可能とされる。これに対して、負極側配線３２における他方の端末には、図９に示すように、負極側給電基板４８における一方の端部に設けられた負極配線用給電基板コネクタ５０に嵌合接続される負極側給電基板用負極配線コネクタ４２が設けられている。この負極側給電基板用負極配線コネクタ４２には、図１１に示すように、負極側配線３２の他端側に接続された負極側配線端子部４２ａが内蔵されており、この負極側配線端子部４２ａが負極配線用給電基板コネクタ５０内の負極側給電基板端子部５０ａに導通接触可能とされる。
【００５９】
中継配線３３における一方の端末には、図９に示すように、正極側給電基板４７における他方の端部に設けられた中継配線用給電基板コネクタ５１に嵌合接続される正極側給電基板用中継配線コネクタ５２が設けられている。この正極側給電基板用中継配線コネクタ５２には、図１１に示すように、中継配線３３の一端側に接続された第１中継配線端子部５２ａが内蔵されており、この第１中継配線端子部５２ａが中継配線用給電基板コネクタ５１内の正極側給電基板端子部５１ａに導通接触可能とされる。中継配線３３における他方の端末には、負極側給電基板４８における他方の端部に設けられた中継配線用給電基板コネクタ５１に嵌合接続される負極側給電基板用中継配線コネクタ５３が設けられている。この負極側給電基板用中継配線コネクタ５３には、図１１に示すように、中継配線３３の他端側に接続された第２中継配線端子部５３ａが内蔵されており、この第２中継配線端子部５３ａが中継配線用給電基板コネクタ５１内の負極側給電基板端子部５１ｂに導通接触可能とされる。
【００６０】
（給電基板）
ここで、給電基板４３の構成について説明する。給電基板４３は、図９に示すように、Ｙ軸方向、つまりＬＥＤ基板２５の組の並び方向に沿って延在する板状をなす給電基板本体４３ａを有しており、この給電基板本体４３ａがＬＥＤ基板２５と同様に合成樹脂材料（具体的には紙フェノールまたはガラスエポキシ樹脂など）からなる。給電基板本体４３ａは、Ｙ軸方向に沿って並列する全てのＬＥＤ基板２５を横切るとともにシャーシ２２における短辺方向についての内寸よりもやや短い程度の長さ寸法を有している。給電基板本体４３ａのうち、その延在方向（Ｙ軸方向）についての一方の端部（図９に示す上側の端部）には、正極配線用給電基板コネクタ４９または負極配線用給電基板コネクタ５０が設けられているのに対し、他方の端部（図９に示す下側の端部）には、中継配線用給電基板コネクタ５１が設けられている。給電基板本体４３ａは、ＬＥＤ基板２５のうちシャーシ２２の長辺方向の外側の端部に対して、シャーシ２２の長辺方向の中央寄りにずれた部分と平面に視て重畳する配置とされる。給電基板本体４３ａには、図１１に示すように、その表面に金属膜（具体的には銅箔など）からなる配線パターン４３ｂが形成されており、この配線パターン４３ｂは、給電回路の系統数（Ｙ軸方向に沿って並ぶＬＥＤ基板２５の組数）と同数が給電基板本体４３ａ上にて互いに電気的に独立する形で配索されている。この配線パターン４３ｂには、一端側に正極配線用給電基板コネクタ４９内の正極側給電基板端子部４９ａまたは負極配線用給電基板コネクタ５０内の負極側給電基板端子部５０ａが配されるのに対し、他端側に次述する給電基板側コネクタ５４のカソード側端子部５４ｂまたはアノード側端子部５４ａが配される第１配線パターン４３ｂ１と、一端側に給電基板側コネクタ５４のアノード側端子部５４ａまたはカソード側端子部５４ｂが配されるのに対し、他端側に中継配線用給電基板コネクタ５１内の負極側給電基板端子部５１ｂが配される第２配線パターン４３ｂ２とが含まれている。なお、給電基板４３の基材に用いる材料としては、金属材料（例えばアルミニウムなど）を用いることも可能である。
【００６１】
（給電基板側コネクタ）
そして、給電基板本体４３ａのうちシャーシ２２の長辺方向の外側を向いた側面からは、図１２に示すように、Ｘ軸方向に沿って外向きに突出する形で給電基板側コネクタ（凸状接続部、給電側接続部）５４が一体に設けられており、この給電基板側コネクタ５４が次述するＬＥＤ基板２５に設けられたＬＥＤ基板側コネクタ５５に嵌合接続される。給電基板側コネクタ５４は、給電基板本体４３ａの延在方向（Ｙ軸方向）に沿って複数が間欠的に並んで配されており、その設置数がＹ軸方向に沿って並ぶＬＥＤ基板２５の並列数と同じ（９つ）とされるとともにその配置が各ＬＥＤ基板２５と平面に視て重畳するものとされる。つまり、給電基板側コネクタ５４は、給電基板本体４３ａにおける配列間隔がＹ軸方向に沿って並ぶＬＥＤ基板２５間の配列間隔とほぼ一致している。従って、嵌合作業に際しては、給電基板４３を操作することで、各給電基板側コネクタ５４を各ＬＥＤ基板２５の各ＬＥＤ基板側コネクタ５５に対して一括して嵌合させることができ、それにより作業効率が良好なものとされる。
【００６２】
給電基板側コネクタ５４は、図１３に示すように、Ｙ軸方向に沿って並ぶ形で分岐された一対の分岐部（枝部）５６を有している。言い換えると、給電基板側コネクタ５４は、その中央部が凹んだ二股状に形成されている。一対の分岐部５６の並び方向は、ＬＥＤ基板２５の板面に並行するとともにＬＥＤ基板２５の組における並び方向であるＹ軸方向と一致しており、ＬＥＤ基板側コネクタ５５との嵌合方向であるＸ軸方向とは直交（交差）している。一対の分岐部５６は、給電基板本体４３ａの側面からＸ軸方向に沿って突出するとともに、互いに並行している。一対の分岐部５６は、給電基板本体４３ａからの突出寸法、及び幅寸法（Ｙ軸方向についての寸法）が互いにほぼ同じ程度とされる。給電基板側コネクタ５４には、図１１に示すように、給電基板本体４３ａ上の配線パターン４３ｂが延長形成されており、その端部に配されたアノード側端子部５４ａ及びカソード側端子部５４ｂが形成されている。詳しくは、給電基板側コネクタ５４をなす一対の分岐部５６のうち、一方の分岐部５６にアノード側端子部５４ａが、他方の分岐部５６にカソード側端子部５４ｂがそれぞれ形成されている。このように給電基板側コネクタ５４を二股状に分岐し、一対の分岐部５６間に間隔（物理的な空間）を保有させる構成とすることで、各分岐部５６に形成されたアノード側端子部５４ａとカソード側端子部５４ｂとの電気的な独立性を担保する上で好適となっている（図１３及び図１５を参照）。
【００６３】
（ＬＥＤ基板側コネクタ）
ＬＥＤ基板２５のうちシャーシ２２の長辺方向の外側の端部（Ｘ軸方向について隣り合うＬＥＤ基板２５側とは反対側の端部）には、図１２に示すように、上記した給電基板４３の給電基板側コネクタ５４が嵌合接続されるＬＥＤ基板側コネクタ（凹状接続部、光源基板側接続部）５５が設けられている。ＬＥＤ基板側コネクタ５５は、シャーシ２２の長辺方向の中央側（図１２から図１４に示す右側）に向けて開口するとともに、内部に給電基板側コネクタ５４が嵌合される嵌合空間ＩＳを有しており、凸状をなす給電基板側コネクタ５４を受け入れ可能な凹状をなしている。ＬＥＤ基板側コネクタ５５と給電基板側コネクタ５４との嵌合方向は、Ｘ軸方向と一致しており、ＬＥＤ基板側コネクタ５５に対して給電基板側コネクタ５４がシャーシ２２の長辺方向の中央側から外側（図１２から図１４に示す左側）に向けて凹凸嵌合されるようになっている。なお、以下では、「前後」について記載するときは、嵌合方向を基準としており、「前側」が図１２から図１４に示す右側と一致し、「後側」が図１２から図１４に示す左側と一致している。このように給電基板４３をＬＥＤ基板２５に対してシャーシ２２における中央側から組み付ける配置構成とすれば、ＬＥＤ基板２５とシャーシ２２の長辺方向についての外縁部との間に給電基板４３の配置スペースや給電基板４３の嵌合ストローク分の空間を空けておく必要がなくなるから、その分だけ当該液晶表示装置１０の狭額縁化を図ることができる。なお、ＬＥＤ基板２５において、ＬＥＤ基板側コネクタ５５と、ＬＥＤ基板側コネクタ５５とＸ軸方向について隣り合う拡散レンズ２７（ＬＥＤ２４）との間には、給電基板本体４３ａの幅寸法と、給電基板側コネクタ５４の嵌合作業に必要な嵌合ストローク（給電基板本体４３ａからの給電基板側コネクタ５４の突出寸法）とを足し合わせた程度の間隔が空けられており、それにより給電基板４３が拡散レンズ２７（ＬＥＤ２４）に干渉し難くなっている。
【００６４】
ＬＥＤ基板側コネクタ５５は、図１３から図１７に示すように、内部に嵌合空間ＩＳを有するハウジング５７と、嵌合空間ＩＳに臨む形で配される一対の端子金具５８と、ハウジング５７の外側面に取り付けられる固定金具５９とを有してなる。ハウジング５７は、合成樹脂製とされ、図１３に示すように、全体としてブロック状をなすとともに、シャーシ２２の長辺方向の中央側、つまり給電基板４３側に向けて開口している。ハウジング５７は、嵌合空間ＩＳを取り囲むよう略角筒状をなす周壁部５７ａと、周壁部５７ａにおける嵌合方向の後端部に連なる奥壁部５７ｂと、嵌合空間ＩＳを一対の分岐部５６に対応付けて区分する区画壁部（仕切り壁部）５７ｃとを有しており、全体として略有底角筒状をなしている。このうち、周壁部５７ａは、図１６に示すように、ＬＥＤ基板２５に接する底壁部５７ａ１と、底壁部５７ａ１の幅方向（Ｙ軸方向）についての両端部から立ち上がる一対の側壁部５７ａ２と、一対の底壁部５７ａ２の立ち上がり端同士を結ぶとともに底壁部５７ａ１と対向状をなす天井壁部５７ａ３とからなる。奥壁部５７ｂは、周壁部５７ａと直交する壁面を有するとともに、その前側の壁面が嵌合空間ＩＳに臨む形で配されていて給電基板側コネクタ５４の嵌合深さを規制することができる。区画壁部５７ｃは、周壁部５７ａにおける底壁部５７ａ２と天井壁部５７ａ３とにおける幅方向の略中央部同士を繋ぐ形で設けられており、その厚み寸法が給電基板側コネクタ５４をなす分岐部５６間の間隔よりも小さく設定されている。
【００６５】
ハウジング５７の周壁部５７ａを構成する一対の側壁部５７ａ２には、図１５及び図１７に示すように、固定金具５９を取り付けるための金具取付溝部５７ａ４がそれぞれ形成されている。固定金具５９は、図１５に示すように、断面形状がＬ字型をなしており、側壁部５７ａ２に並行する金具本体５９ａと、金具本体５９ａの端部からＹ軸方向に沿って外向きに突出するとともにＬＥＤ基板２５に接する固定部５９ｂとを有してなる。このうち金具本体５９ａが金具取付溝部５７ａ４に圧入されるのに対し、固定部５９ｂがＬＥＤ基板２５に対して半田付けされることで、ＬＥＤ基板側コネクタ５５をＬＥＤ基板２５に対して取り付け状態に固定することができる。
【００６６】
端子金具５８は、金属製とされており、図１４に示すように、底壁部５７ａ１、奥壁部５７ｂ及び天井壁部５７ａ３の各壁面に沿って延在するよう途中で屈曲された端子本体５８ａを有している。端子本体５８ａは、一端側が嵌合空間ＩＳ内に配されるとともに給電基板側コネクタ５４に導通接触される給電基板側接触部５８ｂとされるのに対し、他端側が嵌合空間ＩＳ外に配されるとともにＬＥＤ基板２５の配線パターン２５ｂの端部に導通接触されるパターン側接触部５８ｃとされる。給電基板側接触部５８ｂは、端子本体５８ａのうち天井壁部５７ａ３に沿う部分を前端位置にて後側（図１４に示す左側）に折り返すよう屈曲させることで、断面形状が山形をなしており、弾性変形可能とされている。給電基板側接触部５８ｂは、端子本体５８ａのうち底壁部５７ａ１に沿う部分との間で給電基板側コネクタ５４（分岐部５６）を弾性的に挟持することが可能とされる。これら給電基板側接触部５８ｂと、端子本体５８ａのうち底壁部５７ａ１に沿う部分との間に有される空間が、給電基板側コネクタ５４を嵌合可能な嵌合空間ＩＳとされる。ハウジング５７に収容される一対の端子金具５８のうち、一方の端子金具５８は、図１１に示すように、ＬＥＤ基板２５上に形成された配線パターン２５ｂのアノード側の端部に接続されるアノード側端子金具５８Ａとされるのに対し、他方の端子金具５８は、配線パターン２５ｂのカソード側の端部に接続されるカソード側端子金具５８Ｂとされる。なお、ＬＥＤ基板２５の配線パターン２５ｂは、ＬＥＤ基板２５の長辺方向（Ｘ軸方向）に沿って延在するとともに折り返し状をなしており、詳しくはＬＥＤ基板側コネクタ５５のアノード側端子金具５８Ａとの接続箇所を起点にして延在する部分が隣り合うＬＥＤ２４を横切るとともに各ＬＥＤ２４のアノード側端子及びカソード側端子（共に図示は省略する）に接続されることで、これらＬＥＤ２４群を直列接続し、ＬＥＤ基板２５におけるＬＥＤ基板側コネクタ５５とは反対側の端部に達したところで折り返されてからＬＥＤ基板側コネクタ５５のカソード側端子金具５８Ｂへ向けて直線的に延在する形態とされている。
【００６７】
（側壁部と分岐部との関係）
ところで、ハウジング５７の周壁部５７ａを構成する一対の側壁部５７ａ２は、図１６に示すように、それぞれ嵌合空間ＩＳに対してＹ軸方向について隣接する配置とされるとともに、その厚み寸法が区画壁部５７ｃと同じ程度、つまり給電基板側コネクタ５４をなす一対の分岐部５６間の間隔よりも小さく設定されている。側壁部５７ａ２の厚み寸法と、一対の分岐部５６間の間隔とをこのような関係とすることで、ハウジング５７の機械的強度を十分に担保しつつもＬＥＤ基板側コネクタ５５におけるＹ軸方向についての大きさを小型化することができるとともに、各分岐部５６に形成されたアノード側端子部５４ａとカソード側端子部５４ｂとの電気的な独立性を良好に保つことができる。ところが、側壁部５７ａ２の厚み寸法が一対の分岐部５６間の間隔よりも相対的に小さくなると、次の問題が生じることが懸念される。すなわち、ＬＥＤ基板側コネクタ５５に対して給電基板側コネクタ５４を嵌合する作業を行う際に、給電基板側コネクタ５４が正規の位置からＹ軸方向について位置ずれした場合でも、一対の分岐部５６間に側壁部５７ａ２が入り込むことが可能とされているため、位置ずれした状態での嵌合が許容されるおそれがある。仮に、位置ずれした状態での嵌合が許容されると、一方の分岐部５６がハウジング５７の嵌合空間ＩＳに嵌合されるのに対して、他方の分岐部５６が嵌合されることなくハウジング５７に対してＹ軸方向について外側に配される、といった事態が生じて接続不良となるおそれがあった。
【００６８】
（本実施形態の要部に係る構成についての説明）
そこで、本実施形態に係るＬＥＤ基板側コネクタ５５には、図１３に示すように、ＬＥＤ基板側コネクタ５５に対して給電基板側コネクタ５４がＹ軸方向について正常ではない位置関係にあった場合（位置ずれした場合）に嵌合を規制する規制部６０が設けられている。詳しくは、規制部６０は、ＬＥＤ基板側コネクタ５５に対してＹ軸方向、つまり給電基板側コネクタ５４をなす一対の分岐部５６の並び方向について外側に隣接する形で配されている。これにより、一対の分岐部５６に、ＬＥＤ基板側コネクタ５５の嵌合空間ＩＳに嵌合され得る分岐部５６と、嵌合空間ＩＳに嵌合されない分岐部５６とが生じた場合には、規制部６０が嵌合されない分岐部５６に干渉することで、給電基板側コネクタ５４の嵌合を規制することができる。以下、規制部６０の構成について詳しく説明する。
【００６９】
（規制部）
規制部６０は、図１６及び図１７に示すように、ハウジング５７に一体形成されており、ハウジング５７のうち嵌合空間ＩＳに臨む内側面とは反対側の外側面からＹ軸方向に沿って外向き（嵌合空間ＩＳ側とは反対向き）に突出する形態とされる。規制部６０は、ハウジング５７における一対の外側面にそれぞれ設けられており、ＬＥＤ基板側コネクタ５５に対してＹ軸方向について両側に隣接する形で一対配されている。一対の規制部６０は、ハウジング５７を構成する周壁部５７ａにおける一対の側壁部５７ａ２の各外側面にそれぞれ連なる形で設けられている。規制部６０は、全体として略直方体状（略ブロック状）をなしており、各外面がＸ軸方向、Ｙ軸方向またはＺ軸方向に並行するほぼ真っ直ぐな形状とされている。特に、規制部６０における前端面６０ａは、Ｙ軸方向及びＺ軸方向に並行する面となっている。規制部６０は、ハウジング５７においてＸ軸方向（前後方向）について前端部（固定金具５９よりも前側部分）に配されており、その前端面６０ａがハウジング５７の前端面と略面一状をなしている。従って、嵌合に際して、ＬＥＤ基板側コネクタ５５の嵌合空間ＩＳに嵌合され得る分岐部５６と、嵌合空間ＩＳに嵌合されない分岐部５６とが生じた場合、嵌合され得る分岐部５６が嵌合空間ＩＳに入る手前の段階で、嵌合されない分岐部５６が規制部６０に干渉することで嵌合が規制されるようになっている。
【００７０】
規制部６０は、図１３及び図１６に示すように、ハウジング５７の側壁部５７ａ２における外側面からのＹ軸方向についての突出寸法が、一対の分岐部５６間の間隔から側壁部５７ａ２の厚み寸法を差し引いて得られる差分寸法よりも大きくなっている。これにより、給電基板側コネクタ５４がＹ軸方向について位置ずれした場合、嵌合空間ＩＳに嵌合されない分岐部５６が確実に規制部６０に突き当たるようになっている。規制部６０は、上記突出寸法から上記差分寸法を差し引いて得られる第２の差分寸法が、分岐部５６の幅寸法より小さくなっており、具体的には例えば約１／３とされる。これにより、規制部６０による嵌合規制機能を十分に得つつも、規制部６０の突出寸法を極力小さく保つことでＬＥＤ基板側コネクタ５５の小型化を図るとともにハウジング５７に使用する樹脂量（材料使用量）を削減して製造コストの低廉化を図ることができる。
【００７１】
規制部６０は、図１６及び図１７に示すように、Ｚ軸方向（高さ方向）についてハウジング５７の中央位置よりもＬＥＤ基板２５寄りの位置に配されており、嵌合空間ＩＳとＺ軸方向について重なり合う位置関係を有している。規制部６０は、Ｚ軸方向についての中心位置が嵌合空間ＩＳにおける同中心位置とほぼ一致しており、同心状に配されている。その上で、規制部６０におけるＺ軸方向についての寸法（高さ寸法）は、嵌合空間ＩＳにおける同寸法よりも大きなものとされている。従って、規制部６０におけるＺ軸方向についての両端部は、それぞれ嵌合空間ＩＳよりもＺ軸方向について外側に配されており、嵌合空間ＩＳからの突出量が互いにほぼ等しくなっている。以上により、給電基板側コネクタ５４がＹ軸方向について位置ずれした場合、嵌合空間ＩＳに嵌合されない分岐部５６が規制部６０に対してＺ軸方向についてほぼ全域にわたって突き当たるようになっており、さらには給電基板側コネクタ５４がＺ軸方向について位置ずれした場合でも、嵌合空間ＩＳに嵌合されない分岐部５６が規制部６０に対して突き当たるようになっている。
【００７２】
上記した構成の規制部６０は、図９及び図１２に示すように、シャーシ２２内においてＹ軸方向に沿って並んで配された複数（９つ）のＬＥＤ基板側コネクタ５５の全てに一対ずつ設けられている。従って、シャーシ２２内においてＹ軸方向に沿って並んで配された複数のＬＥＤ基板側コネクタ５５のうち、その並び方向についての両端に配された一対のＬＥＤ基板側５５にも規制部６０が設けられている、と言える。
【００７３】
（本実施形態の要部に係る作用及び効果についての説明）
上記した構成を有するバックライト装置１２を組み付けるに際しては、まず、シャーシ２２内にＬＥＤ２４が実装された各ＬＥＤ基板２５を収容するとともに、所定の位置に位置合わせしつつ基板保持部材２８（第１基板保持部材）によって各ＬＥＤ基板２５を底板２２ａに対して取り付け状態に保持する（図７及び図８を参照）。なお、配線保護部材３７については、予めシャーシ２２の配線挿通孔３６の孔縁に取り付けるようにしておく。
【００７４】
シャーシ２２内に全てのＬＥＤ基板２５を取り付け終えたら、続いて給電基板４３の組み付け作業を行う。一対の給電基板４３のうち、正極側給電基板４７については、各給電基板側コネクタ５４を各正極側ＬＥＤ基板３４の各ＬＥＤ基板側コネクタ５５に、負極側給電基板４８については、各給電基板側コネクタ５４を各負極側ＬＥＤ基板３５の各ＬＥＤ基板側コネクタ５５にそれぞれ嵌合接続する。嵌合に際しては、図１８及び図１９に示すように、給電基板４３を、各ＬＥＤ基板側コネクタ５５群に対してシャーシ２２の長辺方向についての中央側に一旦配置し、給電基板４３が有する各給電基板側コネクタ５４を、各ＬＥＤ基板側コネクタ５５に対してＹ軸方向及びＺ軸方向について位置合わせしつつ、給電基板４３をＸ軸方向に沿って外向きにスライドさせる。このとき、各給電基板側コネクタ５４を構成する各分岐部５６が、各ＬＥＤ基板側コネクタ５５の各嵌合空間ＩＳに全て整合していれば、図１３から図１５に示すように、各分岐部５６が各ＬＥＤ基板側コネクタ５５の各嵌合空間ＩＳに一括して嵌合される。このように、給電基板４３の組み付け作業を行うことで、Ｙ軸方向に沿って並んだＬＥＤ基板側コネクタ５５群に対して同様に並列する給電基板側コネクタ５４群を一纏めにして嵌合させることができるから、作業効率が極めて良好なものとなっている。この嵌合時には、各分岐部５６は、各端子金具５８の給電基板側接触部５８ｂと端子本体５８ａのうち底壁部５７ａ１に沿う部分との間にそれぞれ弾性的に挟持される。この状態では、給電基板側コネクタ５４を構成する一対の分岐部５６のうち、一方の分岐部５６に形成されたアノード側端子部５４ａが、一対の端子金具５８のうちのアノード側端子金具５８Ａに、他方の分岐部５６に形成されたカソード側端子部５４ｂが、一対の端子金具５８のうちのカソード側端子金具５８Ｂにそれぞれ弾性接触されることで、それぞれの導通が図られる。
【００７５】
上記した給電基板４３の組み付け作業を行うに際しては、給電基板４３が有する各給電基板側コネクタ５４を、各ＬＥＤ基板側コネクタ５５に対してＹ軸方向及びＺ軸方向について位置合わせする必要があるのだが、常に正確に位置合わせできるとは限らず、位置関係が正常でないまま嵌合作業を行う場合もあり得る。特に、給電基板側コネクタ５４は、Ｙ軸方向に沿って複数並んで配されるとともに、給電基板側コネクタ５４を構成する一対の分岐部５６の並び方向もＹ軸方向と一致していることから、各分岐部５６を各給電基板側コネクタ５４の各嵌合空間ＩＳに対してＹ軸方向について整合させるのが難しくなっており、給電基板４３がＹ軸方向について位置ずれしたまま嵌合作業を行う事態が生じ易くなっている。
【００７６】
例えば、給電基板４３の各給電基板側コネクタ５４が各ＬＥＤ基板側コネクタ５５に対してＹ軸方向について図１８に示す上側に位置ずれし、同図下側の分岐部５６が、同図上側の嵌合空間ＩＳに対して整合するものの、同図上側の分岐部５６が、嵌合空間ＩＳとは整合せずにＬＥＤ基板側コネクタ５５に対してＹ軸方向について同図上側の外部に配置された場合には、嵌合作業を進行させると、図２０及び図２１に示すように、嵌合されない図２０に示す上側の分岐部５６（図２１に示す右側の分岐部５６）が、図２０に示す上側の規制部６０に突き当たることで、嵌合動作が規制される。上記とは逆に、給電基板４３の各給電基板側コネクタ５４が各ＬＥＤ基板側コネクタ５５に対してＹ軸方向について図１８に示す下側に位置ずれし、同図上側の分岐部５６が、同図下側の嵌合空間ＩＳに対して整合するものの、同図下側の分岐部５６が、嵌合空間ＩＳとは整合せずにＬＥＤ基板側コネクタ５５に対してＹ軸方向について同図下側の外部に配置された場合には、嵌合作業を進行させると、図２０及び図２１に示すように、嵌合されない図２０に示す下側の分岐部５６（図２１に示す左側の分岐部５６）が、図２０に示す下側の規制部６０に突き当たることで、嵌合動作が規制される。このように、ＬＥＤ基板側コネクタ５５には、Ｙ軸方向について両側に隣接する形で一対の規制部６０が設けられているから、給電基板４３がＹ軸方向について一方側と他方側とのどちらに位置ずれした場合でも、一対の規制部６０のいずれかが嵌合されない分岐部５６に干渉して嵌合を規制することができる。なお、図２０及び図２１では、給電基板４３がＹ軸方向について図２０に示す上側（図２１に示す右側）に位置ずれした場合を実線で図示しているが、給電基板４３がＹ軸方向について図２０に示す下側（図２１に示す左側）に位置ずれした場合については、二点鎖線にて図示している。
【００７７】
この規制部６０は、図２０に示すように、嵌合されない分岐部５６が突き当たる前端面６０ａがＬＥＤ基板側コネクタ５５の前端位置と一致していることから、嵌合され得る分岐部５６が嵌合空間ＩＳに入る手前の段階で嵌合動作を規制することができる。これにより、嵌合され得る分岐部５６の一部（先端部）が嵌合空間ＩＳに嵌合される、いわゆる半嵌合状態が生じるのが回避されるので、作業者は嵌合が正常に行われなかったことを容易に判別することができる。しかも、規制部６０は、Ｙ軸方向に沿って並列する複数のＬＥＤ基板側コネクタ５５における全てに設けられていることから、給電基板４３がＹ軸方向について位置ずれした場合には、各給電基板側コネクタ５４における嵌合されない分岐部５６の全てが、各ＬＥＤ基板側コネクタ５５の各規制部６０に対して干渉するようになっており、各規制部６０（各分岐部５６）に作用する応力（衝撃）を緩和することができる。これにより、各規制部６０（各分岐部５６）が損傷を受け難くなるとともに、嵌合規制機能をより確実に発揮させることができる。上記のように作業者が誤嵌合が生じたと判別した場合には、改めて嵌合作業を行うことで、各給電基板側コネクタ５４を、各ＬＥＤ基板側コネクタ５５に対して正常に嵌合させることができる。なお、次述する各配線３１〜３３の組み付け作業を上記した給電基板４３の組み付け作業に先立って行うことも可能である。
【００７８】
一方、各配線３１〜３３については、予めワイヤハーネス化しておき、その端末に各配線コネクタ３９〜４２，５２，５３をそれぞれ設けるようにしておく。ワイヤハーネス化した配線３１〜３３の束は、全体をシャーシ２２内に収容するものの、正極側配線３１及び負極側配線３３に接続された各電源基板用配線コネクタ３９，４０についてはそれぞれ対応する各配線挿通孔３６を通してシャーシ２２の裏側外部へと導出させておく（図１０を参照）。シャーシ２２内において、各配線３１〜３３の束をシャーシ２２の各長辺側の外縁部に沿って配索したら、その配索経路上に配された配線保持部材３８によって配線３１〜３３の束を保持するとともに、その束から各給電基板用正極配線コネクタ４１，４２及び各給電基板用中継配線コネクタ５２，５３を対応する各給電基板４７，４８側に引き出しておく（図９参照）。そして、引き出した正極側給電基板用正極配線コネクタ４１を、正極側給電基板４７の正極配線用給電基板コネクタ４９に、負極側給電基板用正極配線コネクタ４２を、負極側給電基板４８の負極配線用給電基板コネクタ５０に、正極側給電基板用中継配線コネクタ５２を、正極側給電基板４７の中継配線用給電基板コネクタ５１に、負極側給電基板用中継配線コネクタ５３を、負極側給電基板４８の中継配線用給電基板コネクタ５１に対してそれぞれ嵌合接続する（図９参照）。なお、上記した作業の手順は適宜に変更可能であり、例えば各コネクタ３９〜４２，５２，５３の嵌合作業を行ってから、配線保持部材３８による配線３１〜３３の保持を行うようにしても構わない。
【００７９】
図９に示すように、給電基板４３の組み付け作業、及びシャーシ２２内における各配線３１〜３３の配索作業（各コネクタ３９〜４２，５２，５３の嵌合作業）を終えたら、続いてシャーシ２２内に反射シート２９を敷設する作業を行う。このとき、反射シート２９の底部２９ａにおける各レンズ挿通孔に各拡散レンズ２７（ＬＥＤ２４）を位置合わせしつつ挿通させるとともに、各延出部２９ｃを各受け板２２ｃに載せるようにする。反射シート２９を敷設すると、給電基板４３、ＬＥＤ基板側コネクタ５５及び各配線３１〜３３などが反射シート２９によって覆われる。このため、反射シート２９の敷設作業を行った後には、各給電基板側コネクタ５４及び各ＬＥＤ基板側コネクタ５５を作業者が外部から目視により確認することができなくなる。その点、本実施形態では、給電基板４３の組み付け作業を行う際に、給電基板側コネクタ５４をなす一方の分岐部５６がＬＥＤ基板側コネクタ５５の嵌合空間ＩＳに嵌合されるものの、他方の分岐部５６が嵌合空間ＩＳに嵌合されない、という誤嵌合が規制部６０によって防がれているから、反射シート２９を敷設した後に例えば通電検査などによって初めて誤嵌合が発覚するといった事態を防ぐことができる。これにより、作業効率及び生産性に極めて優れる。
【００８０】
反射シート２９を敷設したら、続いて基板保持部材（第２基板保持部材）２８を取り付けることで、底部２２ａをＬＥＤ基板２５と共にシャーシ２２の底板２２ａに対して共締めする。その後、シャーシ２２の光出射部を覆うようにして各光学部材２３を延出部２９ｃ上に載置する。なお、シャーシ２２の裏側の組み付けに関しては、図１０に示すように、底板２２ａの裏側における所定の位置にＬＥＤ駆動回路基板３０を取り付けるとともに、その正極側電源基板コネクタ３０ａに対して正極側配線３１の端末に配された正極側電源基板用配線コネクタ３９を、負極側電源基板コネクタ３０ｂに対して負極側配線３２の端末に配された負極側電源基板用配線コネクタ４０をそれぞれ嵌合接続する。このようにしてバックライト装置１２が製造される。バックライト装置１２には、フレーム２６、液晶パネル１１及びベゼル１３が順次に組み付けられることで、液晶表示装置１０が製造される。
【００８１】
上記のようにして製造された液晶表示装置１０の電源をＯＮすると、バックライト装置１２に備えられたＬＥＤ駆動回路基板３０から各ＬＥＤ基板２５に電力が供給されることで、各ＬＥＤ２４が点灯されるとともに、図示しない表示制御回路基板により液晶パネル１１の駆動が制御され、それにより液晶パネル１１の表示面に所定の画像が表示されるようになっている。ここで、ＬＥＤ基板２５の給電回路の作用に関して詳しく説明する。
【００８２】
ＬＥＤ駆動回路基板３０から出力される駆動電力は、図１１に示すように、正極側配線３１及び正極側給電基板４７を介して正極側ＬＥＤ基板３４に供給されてから、正極側給電基板４７、中継配線３３及び負極側給電基板４８を介して同じ組をなす負極側ＬＥＤ基板３５に供給される。つまり、同じ組をなす正極側ＬＥＤ基板３４及び負極側ＬＥＤ基板３５に複数ずつ実装された各ＬＥＤ２４は、互いに直列接続されているので、供給される電圧の値に応じてほぼ同一の輝度にて点灯される。そして、本実施形態におけるバックライト装置１２においては、ＬＥＤ基板２５の組毎に給電回路が独立していることから、各組毎に供給する電圧の大きさを自由に設定することが可能とされる。なお、全ての組において供給する電圧の大きさを異ならせて、各組毎にＬＥＤ２４の輝度を異ならせることができ、また複数の組毎に供給する電圧の大きさ並びにその組に属するＬＥＤ２４の輝度を異ならせることができ、さらには全ての組において電圧の大きさ並びにＬＥＤ２４の輝度を同一にすることもできる。
【００８３】
以上説明したように本実施形態のバックライト装置（照明装置）１２は、ＬＥＤ（光源）２４と、ＬＥＤ２４が設けられるＬＥＤ基板（光源基板）２５と、ＬＥＤ２４に給電するための給電部材４３と、ＬＥＤ基板２５と給電部材４３とのうちの一方側に設けられ、内部に嵌合空間ＩＳを有する凹状接続部であるＬＥＤ基板側コネクタ５５と、ＬＥＤ基板２５と給電部材４３とのうちの他方側に設けられ、凹状接続部であるＬＥＤ基板側コネクタ５５の嵌合空間ＩＳに嵌合されることで電気的な接続が図られるとともに、凹状接続部であるＬＥＤ基板側コネクタ５５に対する嵌合方向と交差する方向に沿って並ぶ形で複数に分岐された分岐部（枝部）５６を有する凸状接続部である給電基板側コネクタ５４と、凹状接続部であるＬＥＤ基板側コネクタ５５に設けられ、凹状接続部であるＬＥＤ基板側コネクタ５５に対して分岐部５６の並び方向について隣接する形で配されることで、複数の分岐部５６に、嵌合空間ＩＳに嵌合され得る分岐部５６と嵌合されない分岐部５６とが生じた場合に、嵌合されない分岐部５６に干渉することで凸状接続部である給電基板側コネクタ５４の嵌合を規制する規制部６０と、を備える。
【００８４】
ＬＥＤ基板２５に設けられているＬＥＤ２４に給電部材４３から給電するには、凹状接続部であるＬＥＤ基板側コネクタ５５の嵌合空間ＩＳに凸状接続部である給電基板側コネクタ５４をなす複数の分岐部５６を嵌合させる。ここで、複数の分岐部５６が全て凹状接続部であるＬＥＤ基板側コネクタ５５の嵌合空間ＩＳに嵌合されれば、凸状接続部である給電基板側コネクタ５４が凹状接続部であるＬＥＤ基板側コネクタ５５に対して正常に電気的に接続されるので、給電部材４３からＬＥＤ基板２５のＬＥＤ２４に正常に給電がなされ、もってＬＥＤ２４を点灯させることができる。一方、例えば、凸状接続部である給電基板側コネクタ５４と凹状接続部であるＬＥＤ基板側コネクタ５５とが複数の分岐部５６の並び方向について位置ずれしており、複数の分岐部５６に、凹状接続部であるＬＥＤ基板側コネクタ５５の嵌合空間ＩＳに嵌合され得る分岐部５６と嵌合されない分岐部５６とが生じた場合には、凸状接続部である給電基板側コネクタ５４と凹状接続部であるＬＥＤ基板側コネクタ５５との電気的な接続が不完全なものとなるおそれがある。このような場合でも、凹状接続部であるＬＥＤ基板側コネクタ５５には、凹状接続部であるＬＥＤ基板側コネクタ５５に対して分岐部５６の並び方向について隣接する形で規制部６０が設けられているので、この規制部６０が凹状接続部であるＬＥＤ基板側コネクタ５５の嵌合空間ＩＳに嵌合されない分岐部５６に干渉することで、凹状接続部であるＬＥＤ基板側コネクタ５５に対する凸状接続部である給電基板側コネクタ５４の嵌合を規制することができる。嵌合が規制されることをもって作業者は嵌合が正常に行われなかったと判別することができるので、改めて嵌合作業を行って正常な嵌合を図ることができる。これにより、凸状接続部である給電基板側コネクタ５４と凹状接続部であるＬＥＤ基板側コネクタ５５とに接続不良が生じるのを防ぐことができる。しかも、規制部６０は、凹状接続部であるＬＥＤ基板側コネクタ５５に設けられているから、仮に凸状接続部である給電基板側コネクタ５４に設けた場合に比べると、規制部６０の配置の自由度が高くなっている。本実施形態によれば、接続不良を防止することができる。
【００８５】
また、凹状接続部であるＬＥＤ基板側コネクタ５５は、嵌合空間ＩＳを取り囲む形の周壁部５７ａを有しており、複数の分岐部５６は、隣り合う分岐部５６間の間隔が、周壁部５７ａの厚みよりも大きくなるよう配されている。このように、隣り合う分岐部５６間の間隔が、周壁部５７ａの厚みよりも大きくなると、嵌合空間ＩＳに嵌合されない分岐部５６が生じた場合に、嵌合されない分岐部５６と嵌合され得る分岐部５６との間に周壁部５７ａが入り込むことで、嵌合が許容されるおそれがあるものの、上記した規制部６０が嵌合されない分岐部５６に干渉することで、嵌合を規制して接続不良を防ぐことができる。ところで、複数の分岐部５６は、隣り合う分岐部５６間の間隔が大きくなるほど、各分岐部５６の電気的な独立性を保つ上で有利となる傾向にある。その一方、凹状接続部であるＬＥＤ基板側コネクタ５５が有する周壁部５７ａは、その厚みが小さくなるほど凹状接続部であるＬＥＤ基板側コネクタ５５を小型に保つ観点から優れる。従って、上記したように隣り合う分岐部５６間の間隔を、周壁部５７ａの厚みよりも大きくすることで、複数の分岐部５６の電気的な独立性を十分に確保しつつ、凹状接続部であるＬＥＤ基板側コネクタ５５を小型に保つことができる。
【００８６】
また、複数の分岐部５６は、ＬＥＤ基板２５の板面に沿って並ぶ形で配され、ＬＥＤ基板２５は、分岐部５６の並び方向に沿って複数が並んで配されるとともにそれぞれがＬＥＤ基板側コネクタ（光源基板側接続部）５５を有しているのに対し、給電部材４３は、ＬＥＤ基板２５の並び方向に沿って延在するとともにＬＥＤ基板側コネクタ５５に対して嵌合される給電基板側コネクタ（給電側接続部）５４を複数、ＬＥＤ基板２５の並び方向に沿って並ぶ形で有しており、ＬＥＤ基板側コネクタ５５と給電基板側コネクタ５４とのうちの一方側が凹状接続部とされ、他方側が凸状接続部である給電基板側コネクタ５４とされているのに対し、規制部６０は、複数の凹状接続部であるＬＥＤ基板側コネクタ５５の少なくともいずれか１つに設けられている。このようにすれば、複数のＬＥＤ基板２５の並び方向に沿って延在する給電部材４３は、ＬＥＤ基板２５の並び方向に沿って並ぶ形の複数の給電基板側コネクタ５４を有しているから、例えば給電部材４３を複数のＬＥＤ基板２５に対して組み付けることで、複数の給電基板側コネクタ５４を複数のＬＥＤ基板側コネクタ５５に対して一括して嵌合させることができる。これにより、作業効率が良好なものとなる。そして、嵌合に際しては、凹状接続部であるＬＥＤ基板側コネクタ５５及び凸状接続部である給電基板側コネクタ５４がそれぞれ複数ずつ並んで配されるため、凸状接続部である給電基板側コネクタ５４をなす複数の分岐部５６を凹状接続部であるＬＥＤ基板側コネクタ５５の嵌合空間ＩＳに的確に嵌合させるのが難しくなる傾向にあるものの、凹状接続部であるＬＥＤ基板側コネクタ５５の嵌合空間ＩＳに嵌合されない分岐部５６が生じた場合には、その分岐部５６に対して複数の凹状接続部であるＬＥＤ基板側コネクタ５５の少なくともいずれか１つに設けられた規制部６０が干渉することで、凹状接続部であるＬＥＤ基板側コネクタ５５に対する凸状接続部である給電基板側コネクタ５４の嵌合を規制して接続不良を防止することができる。
【００８７】
また、規制部６０は、複数の凹状接続部であるＬＥＤ基板側コネクタ５５のうち、少なくともＬＥＤ基板２５の並び方向について両端に位置する一対の凹状接続部であるＬＥＤ基板側コネクタ５５にそれぞれ設けられている。このようにすれば、嵌合に際して、凹状接続部であるＬＥＤ基板側コネクタ５５の嵌合空間ＩＳに嵌合されない分岐部５６が生じた場合には、その分岐部５６に対して少なくともＬＥＤ基板２５の並び方向について両端に位置する一対の凹状接続部であるＬＥＤ基板側コネクタ５５に設けられた規制部６０が干渉する。仮に、複数の凹状接続部であるＬＥＤ基板側コネクタ５５のうち中央側に配されたものにのみ規制部６０を設けた場合に比べると、ＬＥＤ基板２５の並び方向に沿って延在する給電部材４３に撓みや反りが生じたときでも、規制部６０の嵌合規制機能をより確実に発揮させることができる。これにより、接続不良をより確実に防止することができる。
【００８８】
また、規制部６０は、複数の凹状接続部であるＬＥＤ基板側コネクタ５５の全てに設けられている。このようにすれば、凹状接続部であるＬＥＤ基板側コネクタ５５に対する凸状接続部である給電基板側コネクタ５４の嵌合をさらに確実に規制することができる。
【００８９】
また、ＬＥＤ基板側コネクタ５５が凹状接続部とされ、給電基板側コネクタ５４が凸状接続部とされている。このようにすれば、給電部材４３を複数のＬＥＤ基板２５に対して組み付ける際に、複数のＬＥＤ基板２５が有する複数の凹状接続部であるＬＥＤ基板側コネクタ５５に対して、給電部材４３が有する複数の凸状接続部である給電基板側コネクタ５４が嵌合されることになるから、嵌合をより円滑に行うことができ、組み付けに係る作業性に一層優れる。
【００９０】
また、規制部６０は、凹状接続部であるＬＥＤ基板側コネクタ５５に対して分岐部５６の並び方向について両側に隣接する形で一対設けられている。このようにすれば、凸状接続部である給電基板側コネクタ５４と凹状接続部であるＬＥＤ基板側コネクタ５５とが分岐部５６の並び方向について一方側と他方側とのどちらに位置ずれしていた場合でも、一対の規制部６０のいずれかが嵌合空間ＩＳに嵌合されない分岐部５６に干渉することで、凹状接続部であるＬＥＤ基板側コネクタ５５に対する凸状接続部である給電基板側コネクタ５４の嵌合を規制することができる。
【００９１】
また、規制部６０は、凹状接続部であるＬＥＤ基板側コネクタ５５において嵌合方向についての前端位置に配されている。このようにすれば、複数の分岐部５６に凹状接続部であるＬＥＤ基板側コネクタ５５の嵌合空間ＩＳに嵌合されない分岐部５６が生じた場合、凸状接続部である給電基板側コネクタ５４を凹状接続部であるＬＥＤ基板側コネクタ５５に対して嵌合する初期段階において、規制部６０が嵌合空間ＩＳに嵌合されない分岐部５６に干渉することで、嵌合を規制することができる。これにより、嵌合空間ＩＳに嵌合され得る分岐部５６が嵌合空間ＩＳの途中まで嵌合されることが避けられるから、作業者は嵌合が正常に行われなかったのをより容易に判別することができ、作業効率に一層優れる。
【００９２】
また、凸状接続部である給電基板側コネクタ５４は、給電基板４３に設けられるのに対し、凹状接続部であるＬＥＤ基板側コネクタ５５は、ＬＥＤ基板２５に設けられるとともに、嵌合空間ＩＳを取り囲む形の周壁部５７ａを有するハウジング５７と、ハウジング５７に設けられていて凸状接続部である給電基板側コネクタ５４に接触されることでＬＥＤ基板２５と給電基板４３とを電気的に接続する端子金具５８とを有してなり、規制部６０は、ハウジング５７に一体形成されている。このようにすれば、規制部６０をハウジング５７に一体形成しているので、規制部６０に分岐部５６が干渉した場合でも、干渉に伴う応力がＬＥＤ基板２５と給電基板４３とを電気的に接続する端子金具５８に直接的に作用するのを避けることができる。従って、ＬＥＤ基板２５や凹状接続部であるＬＥＤ基板側コネクタ５５に対する端子金具５８の接続状態に悪影響が及び難くなっている。また、仮に規制部６０を端子金具５８に一体形成した場合に比べると、規制部６０を配置する上での自由度が高くなっている。
【００９３】
また、規制部６０は、ハウジング５７の周壁部５７ａのうち嵌合空間ＩＳに対して分岐部５６の並び方向に沿って並ぶ側壁部５７ａ２における嵌合空間ＩＳ外に臨む面（外側面）から外向きに突き出す形態で設けられている。このようにすれば、嵌合空間ＩＳに嵌合されない分岐部５６が生じた場合、規制部６０が嵌合空間ＩＳに対して分岐部５６の並び方向に沿って並ぶ側壁部５７ａ２における嵌合空間ＩＳ外に臨む面から外向きに突き出す形態とされているから、嵌合されない分岐部５６が規制部６０に対してより確実に干渉し、接続不良をより確実に防ぐことができる。
【００９４】
＜実施形態２＞
本発明の実施形態２を図２２または図２３によって説明する。この実施形態２では、規制部１６０の形状を変更したものを示す。なお、上記した実施形態１と同様の構造、作用及び効果について重複する説明は省略する。
【００９５】
本実施形態に係る規制部１６０は、図２２及び図２３に示すように、ＬＥＤ基板側コネクタ１５５において、ＬＥＤ基板１２５におけるＬＥＤ（図示せず）の設置面から立ち上がる形で設けられている。詳しくは、規制部１６０は、ＬＥＤ基板側コネクタ１５５を構成するハウジング１５７の各側壁部１５７ａ２におけるＬＥＤ基板１２５側（図２３に示す下側）の端部からＹ軸方向（ＬＥＤ基板１２５の板面）に沿って外向きに延出する規制基部６１と、各規制基部６１の延出先端部からＺ軸方向に沿って表側、つまりＬＥＤ基板１２５側とは反対側に向けて突出する規制突部６２とを有してなる。従って、規制部１６０は、全体として正面から視て略Ｌ字型をなしている。規制突部６２は、規制基部６１の延出寸法分だけ側壁部１５７ａ２の外側面からＹ軸方向について外側に離間した位置に配されている。規制基部６１の延出寸法は、一対の分岐部１５６間の間隔から側壁部１５７ａ２の厚み寸法を差し引いて得られる差分寸法よりも大きなものとされている。これにより、給電基板側コネクタ１５４がＹ軸方向について位置ずれした場合、嵌合空間ＩＳに嵌合されない分岐部１５６が確実に規制部１６０の規制突部６２に突き当たるようになっている。規制突部６２は、その突出先端位置がＺ軸方向について嵌合空間ＩＳよりも高い位置に配されており、全域にわたって嵌合空間ＩＳとＺ軸方向について重なり合う位置関係を有している。この規制部１６０は、規制突部６２に加えてＬＥＤ基板１２５におけるＬＥＤの設置面に沿って延出する規制基部６１を有していることから、Ｚ軸方向についての形成範囲が上記した実施形態１に記載した規制部６０よりもＬＥＤ基板１２５側に拡張されている。これにより、嵌合作業を行う際に、給電基板側コネクタ１５４がＬＥＤ基板側コネクタ１５５に対してＹ軸方向及びＺ軸方向についてそれぞれ位置ずれし、Ｚ軸方向について正規位置よりも裏側、つまりＬＥＤ基板１２５寄りに片寄った姿勢とされた場合でも、分岐部１５６が主に規制基部６１に干渉することでその嵌合が規制されるようになっている。この給電基板側コネクタ１５４は、シャーシ１２２及びＬＥＤ基板１２５に対して表側からＬＥＤ基板側コネクタ１５５に対して嵌合されることから、その先端部をＬＥＤ基板１２５寄りに傾けた姿勢とされがちであることから、上記のように規制基部６１を設けることで、嵌合規制機能をより確実に発揮させることができて有用である。
【００９６】
以上説明したように本実施形態によれば、凸状接続部である給電基板側コネクタ１５４は、給電部材１４３に設けられるのに対して、凹状接続部であるＬＥＤ基板側コネクタ１５５は、ＬＥＤ基板１２５におけるＬＥＤの設置面に設けられており、規制部１６０は、凹状接続部であるＬＥＤ基板側コネクタ１５５において、ＬＥＤ基板１２５におけるＬＥＤの設置面から立ち上がる形で設けられている。このようにすれば、給電部材１４３に設けられた凸状接続部である給電基板側コネクタ１５４を、ＬＥＤ基板１２５におけるＬＥＤに設置面に設けられた凹状接続部であるＬＥＤ基板側コネクタ１５５に嵌合する際に、凸状接続部である給電基板側コネクタ１５４が凹状接続部であるＬＥＤ基板側コネクタ１５５の嵌合空間ＩＳに対してＬＥＤ基板１２５寄りに片寄った姿勢で嵌合されようとした場合でも、規制部１６０が凹状接続部であるＬＥＤ基板側コネクタ１５５において、ＬＥＤ基板１２５におけるＬＥＤの設置面から立ち上がる形で設けられているから、嵌合空間ＩＳに嵌合されない分岐部１５６がより確実に規制部１６０に干渉されるようになっている。これにより、接続不良をより確実に防ぐことができる。
【００９７】
＜実施形態３＞
本発明の実施形態３を図２４から図２６によって説明する。この実施形態３では、規制部２６０を端子金具２５８に設けたものを示す。なお、上記した実施形態１と同様の構造、作用及び効果について重複する説明は省略する。
【００９８】
本実施形態に係る端子金具２５８は、図２５及び図２６に示すように、ハウジング２５７における天井壁部２５７ａ３の内壁面に沿って延在するとともに側壁部２５７ａ２を貫通する端子本体２５８ａと、端子本体２５８ａの前端部から後側へ向けて折り返されてなる給電基板側接触部２５８ｂと、端子本体２５８ａのうちハウジング２５７外に突き出した端部から側壁部２５７ａ２の外側面（Ｚ軸方向）に沿って裏側（ＬＥＤ基板２２５側）に向けて延出してからＬＥＤ基板２２５の板面（Ｙ軸方向）に沿って外向きに延出してＬＥＤ基板２２５に接するパターン側接触部２５８ｃとを有している。そして、端子金具２５８のうち、パターン側接触部２５８ｃの延出先端部からは、規制部２６０がＺ軸方向に沿って表側に向けて立ち上がる形で一体に設けられている。なお、この端子金具２５８は、ハウジング２５７に対してインサート成形により一体化されている。
【００９９】
端子本体２５８ａは、図２５及び図２６に示すように、その大部分がハウジング２５７内に配されているものの、一部がＹ軸方向に沿って側壁部２５７ａ２を貫通してハウジング２５７外に突き出している。給電基板側接触部２５８ｂは、ハウジング２５７の底壁部２５７ａ１との間に嵌合空間ＩＳを有する形で配されており、底壁部２５７ａ１との間で分岐部２５６を弾性的に挟持可能とされる。パターン側接触部２５８ｃは、正面から視て断面略Ｌ字型をなしており、ＬＥＤ基板２２５に接する部分が半田付けされることで、ＬＥＤ基板２２５の配線パターン（図示せず）に対する電気的な接続が図られるとともに、ＬＥＤ基板側コネクタ２５５をＬＥＤ基板２２５に対して機械的に固定することができる。つまり、パターン側接触部２５８ｃは、ＬＥＤ基板２２５に対してＬＥＤ基板側コネクタ２５５を固定する「基板固定部」を兼用している、と言える。
【０１００】
そして、パターン側接触部２５８ｃの延出先端部に設けられた規制部２６０は、図２４及び図２５に示すように、ＬＥＤ基板２２５におけるＬＥＤ（図示せず）の設置面から立ち上がる形で配されている。側壁部２５７ａ２の外側面からのパターン側接触部２５８ｃの延出寸法は、一対の分岐部２５６間の間隔から側壁部２５７ａ２の厚み寸法を差し引いて得られる差分寸法よりも大きなものとされている。これにより、給電基板側コネクタ２５４がＹ軸方向について位置ずれした場合、嵌合空間ＩＳに嵌合されない分岐部２５６が確実に規制部２６０に突き当たるようになっている。規制部２６０は、その突出先端位置がＺ軸方向について嵌合空間ＩＳよりも高い位置に配されており、全域にわたって嵌合空間ＩＳとＺ軸方向について重なり合う位置関係を有している。この規制部２６０は、ＬＥＤ基板２２５におけるＬＥＤの設置面から立ち上がる形で配されていることから、Ｚ軸方向についての形成範囲が上記した実施形態１に記載した規制部６０よりもＬＥＤ基板２２５側に拡張されている。これにより、嵌合作業を行う際に、給電基板側コネクタ２５４がＬＥＤ基板側コネクタ２５５に対してＹ軸方向及びＺ軸方向についてそれぞれ位置ずれし、Ｚ軸方向について正規位置よりも裏側、つまりＬＥＤ基板２２５寄りに片寄った姿勢とされた場合でも、分岐部２５６が規制部２６０の突出基端側部分に干渉することでその嵌合が規制されるようになっている。この給電基板側コネクタ２５４は、シャーシ２２２及びＬＥＤ基板２２５に対して表側からＬＥＤ基板側コネクタ２５５に対して嵌合されることから、その先端部をＬＥＤ基板２２５寄りに傾けた姿勢とされがちであることから、ＬＥＤ基板２２５におけるＬＥＤの設置面から立ち上がる規制部２６０を設けることで、嵌合規制機能をより確実に発揮させることができて有用である。
【０１０１】
以上説明したように本実施形態によれば、凸状接続部である給電基板側コネクタ２５４は、給電基板２４３に設けられるのに対し、凹状接続部であるＬＥＤ基板側コネクタ２５５は、ＬＥＤ基板２２５に設けられるとともに、嵌合空間ＩＳを取り囲む形の周壁部２５７ａを有するハウジング２５７と、ハウジング２５７に設けられていて凸状接続部である給電基板側コネクタ２５４に接触されることでＬＥＤ基板２２５と給電基板２４３とを電気的に接続する端子金具２５８とを有してなり、規制部２６０は、端子金具２５８に一体形成されている。このようにすれば、端子金具２５８に規制部２６０を一体形成しているので、仮にハウジング２５７に規制部を一体形成した場合に比べると、嵌合空間ＩＳに嵌合されない分岐部２５６が規制部２６０に干渉したときに、規制部２６０に変形などが生じ難くなる。
【０１０２】
また、端子金具２５８は、嵌合空間ＩＳ内に配されるとともに凸状接続部である給電基板側コネクタ２５４に対して接触される給電基板側接触部（給電側接触部）２５８ｂと、嵌合空間ＩＳ外に配されるとともにＬＥＤ基板２２５に固定されるパターン側接触部（基板固定部）２５８ｃとを有してなり、規制部２６０は、パターン側接触部２５８ｃからＬＥＤ基板２２５側とは反対側に向けて立ち上がる形で設けられている。このようにすれば、端子金具２５８のうちＬＥＤ基板２２５に固定されるパターン側接触部２５８ｃは、嵌合空間ＩＳ外に配される部位であるから、このパターン側接触部２５８ｃに規制部２６０を設けることで、端子金具２５８の形状が複雑化するのを避けることができる。しかも、規制部２６０がパターン側接触部２５８ｃからＬＥＤ基板２２５側とは反対側に向けて立ち上がる形で設けられているから、給電部材２４３に設けられた凸状接続部である給電基板側コネクタ２５４を、凹状接続部であるＬＥＤ基板側コネクタ２５５の嵌合空間ＩＳに嵌合する際に、凸状接続部である給電基板側コネクタ２５４が凹状接続部であるＬＥＤ基板側コネクタ２５５の嵌合空間ＩＳに対してＬＥＤ基板２２５寄りに片寄った姿勢で嵌合されようとした場合に、嵌合空間ＩＳに嵌合されない分岐部２５６がより確実に規制部２６０に干渉するようになっている。これにより、接続不良をより確実に防ぐことができる。
【０１０３】
＜実施形態４＞
本発明の実施形態４を図２７または図２８によって説明する。この実施形態４では、給電基板及び各配線に代えて中継コネクタ６３を用いたものを示す。なお、上記した実施形態１と同様の構造、作用及び効果について重複する説明は省略する。
【０１０４】
本実施形態では、上記した実施形態１〜３に示した給電基板及び各配線に代えて中継コネクタ６３を用いることで、ＬＥＤ駆動回路基板３３０からの駆動電力をＬＥＤ基板３２５（ＬＥＤ３２４）に供給するようにしている。中継コネクタ６３は、図２７及び図２８に示すように、シャーシ３２２の底板３２２ａを内外に貫通する形で取り付けられるハウジング６４を有しており、ハウジング６４のうちシャーシ３２２内に配される部分がＬＥＤ基板３２５を嵌合可能なＬＥＤ基板側嵌合部（凹状接続部、給電側接続部）６４ａとされるのに対し、シャーシ３２２外に配される部分がＬＥＤ駆動回路基板３３０を嵌合可能な駆動回路基板側嵌合部６４ｂとされる。ＬＥＤ基板側嵌合部６４ａ及び駆動回路基板側嵌合部６４ｂには、それぞれシャーシ３２２における長辺方向についての中央側（図２７及び図２８に示す）に向けて開口する形の嵌合空間ＩＳ１，ＩＳ２がそれぞれ設けられている。ハウジング６４には、両嵌合空間ＩＳ１，ＩＳ２間を仕切る形で隔壁６４ｃが設けられるとともに、この隔壁６４ｃを貫通することで、両嵌合空間ＩＳ１，ＩＳ２に臨んで配される端子金具６５がインサート成形により一体化されている。端子金具６５は、隔壁６４ｃを貫通してＬＥＤ基板側嵌合部６４ａと駆動回路基板側嵌合部６４ｂとに跨る形で配される端子本体６５ａと、端子本体６５ａのうちＬＥＤ基板側嵌合部６４ａ側の端部に設けられるＬＥＤ基板側接触部６５ｂと、端子本体６５ａのうち駆動回路基板側嵌合部６４ｂの端部に設けられる駆動回路基板側接触部６５ｃとからなる。ＬＥＤ基板側接触部６５ｂ及び駆動回路基板側接触部６５ｃは、共に断面形状が山形をなしており、弾性変形可能とされている。ＬＥＤ基板側嵌合部６４ａの第１嵌合空間ＩＳ１は、ＬＥＤ基板側接触部６５ｂと隔壁６４ｃとの間に有されるのに対し、駆動回路基板側嵌合部６４ｂの第２嵌合空間ＩＳ２は、駆動回路基板側接触部６５ｃと隔壁６４ｃとの間に有される。また、端子金具６５は、ハウジング６４内において一対がＹ軸方向に沿って並んで配されている。
【０１０５】
ＬＥＤ基板側嵌合部６４ａの第１嵌合空間ＩＳ１には、図２８に示すように、ＬＥＤ基板３２５に設けられるとともに凸状をなすＬＥＤ基板側コネクタ部（凸状接続部、光源基板側接続部）３５５がＸ軸方向に沿って嵌合可能とされている。本実施形態に係るＬＥＤ基板側コネクタ部３５５は、ＬＥＤ基板３２５における長さ方向についての一端部を二股状に分岐させることで、一対の分岐部３５６を有してなるものとされる。一対の分岐部３５６には、ＬＥＤ基板３２５上の配線パターンの端部に配されたアノード側端子部及びカソード側端子部（配線パターン共々図示せず）がそれぞれ形成されており、第１嵌合空間ＩＳ１に嵌合されると、各端子部が各端子金具６５のＬＥＤ基板側接触部６５ｂに対して弾性接触されるようになっている。一方、駆動回路基板側嵌合部６４ｂの第２嵌合空間ＩＳ２には、ＬＥＤ駆動回路基板３３０に設けられるとともに凸状をなす駆動回路基板側コネクタ部６６がＸ軸方向に沿って嵌合されるようになっている。駆動回路基板側コネクタ部６６は、ＬＥＤ駆動回路基板３３０におけるＸ軸方向についての一端部に設けられている。駆動回路基板側コネクタ部６６には、ＬＥＤ駆動回路基板３３０上の配線パターンの端部に配された正極側電源端子部及び負極側電源端子部（図示せず）が設けられており、第２嵌合空間ＩＳ２に嵌合されると、各端子部が各端子金具６５の駆動回路基板側接触部６５ｃに対して弾性接触されるようになっている。
【０１０６】
上記した構成の中継コネクタ６３は、図２７に示すように、ＬＥＤ基板３２５と同様にシャーシ３２２内においてＹ軸方向に沿って複数が並んで配されており、それぞれのＬＥＤ基板側嵌合部６４ａに対して各ＬＥＤ基板３２５のＬＥＤ基板側コネクタ部３５５が個別に嵌合接続されるようになっている。そして、ハウジング６４のうちＬＥＤ基板側嵌合部６４ａには、ＬＥＤ基板側コネクタ部３５５の誤嵌合を規制するための規制部３６０が設けられている。規制部３６０は、ＬＥＤ基板側嵌合部６４ａにおける両外側面からＹ軸方向に沿って外向きにそれぞれ突出する形で一対が設けられている。規制部３６０は、Ｚ軸方向について第１嵌合空間ＩＳ２に対してほぼ全域が重なり合う配置とされる。なお、規制部３６０に係る構成については、実施形態１に記載したものとほぼ同様であるため、重複する説明は割愛する。各ＬＥＤ基板３２５のＬＥＤ基板側コネクタ部３５５を各中継コネクタ６３のＬＥＤ基板側嵌合部６４ａに対して嵌合する作業を行う際に、ＬＥＤ基板側コネクタ部３５５がＹ軸方向について位置ずれし、一対の分岐部３５６に、第１嵌合空間ＩＳ１に嵌合され得る分岐部３５６と、第１嵌合空間ＩＳ１に嵌合されない分岐部３５６とが生じた場合には、嵌合されない分岐部３５６が規制部３６０に突き当たることで、嵌合が規制されるようになっている。これにより、ＬＥＤ基板側コネクタ部３５５の誤嵌合を防止することができる。なお、図２７では、同図上側のＬＥＤ基板側コネクタ部３５５については正規に嵌合された状態を、同図下側のＬＥＤ基板側コネクタ部３５５についてはＹ軸方向について位置ずれしていて規制部３６０によって嵌合が規制された状態を表している。
【０１０７】
＜実施形態５＞
本発明の実施形態５を図２９によって説明する。この実施形態５では、上記した実施形態１から規制部４６０の形状を変更したものを示す。なお、上記した実施形態１と同様の構造、作用及び効果について重複する説明は省略する。
【０１０８】
本実施形態に係る規制部４６０は、図２９に示すように、側方から視て略三角形状に形成されている。規制部４６０は、前端面４６０ａがＬＥＤ基板側コネクタ４５５の前端面と略面一状をなすとともにＺ軸方向に沿ってほぼ真っ直ぐな形状とされるのに対し、表側及び裏側を向いた一対の外面がそれぞれＸ軸方向及びＺ軸方向に対して傾斜した傾斜面４６０ｂとなっている。規制部４６０における前端面４６０ａの面積（形成範囲）は、上記した実施形態１に記載したものと同等であることから、Ｙ軸方向について位置ずれした給電基板側コネクタ４５４の分岐部４５６が上記前端面４６０ａに対して干渉する確実性が十分に担保されている。その上で、規制部４６０の容積については、一対の傾斜面４６０ｂが形成されることで、上記した実施形態１に記載したものよりも少なくなっているので、ハウジング４５７に使用する樹脂量（材料使用量）を削減して製造コストの低廉化を図ることができる。
【０１０９】
＜実施形態６＞
本発明の実施形態６を図３０によって説明する。この実施形態６では、上記した実施形態１から規制部５６０の形成範囲を変更したものを示す。なお、上記した実施形態１と同様の構造、作用及び効果について重複する説明は省略する。
【０１１０】
本実施形態に係る規制部５６０は、図３０に示すように、ＬＥＤ基板側コネクタ５５５に外側面において、ＬＥＤ基板５２５におけるＬＥＤ（図示せず）の設置面から立ち上がる形で設けられている。詳しくは、規制部５６０は、ＬＥＤ基板側コネクタ５５５に外側面のうち、Ｚ軸方向について図３０に示す約下半分の領域にわたって設けられている。従って、規制部５６０は、全域にわたって嵌合空間ＩＳとＺ軸方向について重なり合うのに加え、嵌合空間ＩＳよりも裏側、つまりＬＥＤ基板５２５側の範囲にまで拡張された形成範囲を有している。これにより、嵌合作業を行う際に、給電基板側コネクタ５５４がＬＥＤ基板側コネクタ５５５に対してＹ軸方向及びＺ軸方向についてそれぞれ位置ずれし、Ｚ軸方向について正規位置よりも裏側、つまりＬＥＤ基板５２５寄りに片寄った姿勢とされた場合でも、分岐部５５６が規制部５６０におけるＬＥＤ基板５２５側の部分に干渉することでその嵌合が規制されるようになっている。この給電基板側コネクタ５５４は、シャーシ５２２及びＬＥＤ基板５２５に対して表側からＬＥＤ基板側コネクタ５５５に対して嵌合されることから、その先端部をＬＥＤ基板５２５寄りに傾けた姿勢とされがちであることから、上記のような規制部５６０を設けることで、嵌合規制機能をより確実に発揮させることができて有用である。
【０１１１】
＜実施形態７＞
本発明の実施形態７を図３１によって説明する。この実施形態７では、上記した実施形態６から規制部６６０の形成範囲をさらに変更したものを示す。なお、上記した実施形態６と同様の構造、作用及び効果について重複する説明は省略する。
【０１１２】
本実施形態に係る規制部６６０は、図３１に示すように、ＬＥＤ基板側コネクタ６５５に外側面において、その全高さ範囲にわたって設けられている。このような構成とすれば、規制部６６０がＺ軸方向についてＬＥＤ基板側コネクタ６５５の全域に配されることになるから、嵌合時に給電基板側コネクタ６５４がＺ軸方向について位置ずれした場合、その位置ずれ量がＬＥＤ基板側コネクタ６５５の高さ寸法（ＬＥＤ基板６２５からのＺ軸方向についての突出寸法）内であれば、嵌合されない分岐部６５６が規制部６６０に干渉することが可能とされる。これにより、規制部６６０による嵌合規制機能をさらに確実に発揮させることができる。
【０１１３】
＜実施形態８＞
本発明の実施形態８を図３２によって説明する。この実施形態８では、上記した実施形態７から規制部７６０の形状を変更したものを示す。なお、上記した実施形態７と同様の構造、作用及び効果について重複する説明は省略する。
【０１１４】
本実施形態に係る規制部７６０は、図３２に示すように、正面から視て略三角形状に形成されている。規制部７６０は、Ｚ軸方向についてＬＥＤ基板７２５から遠ざかる方向に向けて幅寸法が連続的に漸次小さくなっており、外側面が傾斜面７６０ｃとなっている。このようにすれば、規制部７６０の容積は、傾斜面７６０ｃが形成されることで、上記した実施形態７に記載したものよりも少なくなるので、ハウジング７５７に使用する樹脂量（材料使用量）を削減して製造コストの低廉化を図ることができる。
【０１１５】
＜実施形態９＞
本発明の実施形態９を図３３によって説明する。この実施形態９では、上記した実施形態２から規制部８６０の形成範囲を変更したものを示す。なお、上記した実施形態２と同様の構造、作用及び効果について重複する説明は省略する。
【０１１６】
本実施形態に係る規制部８６０は、図３３に示すように、ＬＥＤ基板側コネクタ８５５の全高さ範囲にわたって設けられている。詳しくは、規制部８６０のうち、規制基部８６１からＺ軸方向に沿って表側に立ち上がる規制突部８６２は、その突出先端位置がＬＥＤ基板側コネクタ８５５におけるＬＥＤ基板８２５側とは反対側の端部とほぼ面一状となる高さ寸法を有している。このような構成とすれば、上記した実施形態７に記載した規制部６６０と同様の作用及び効果を得ることができる。
【０１１７】
＜実施形態１０＞
本発明の実施形態１０を図３４によって説明する。この実施形態１０では、上記した実施形態３から規制部９６０の形状を変更したものを示す。なお、上記した実施形態１と同様の構造、作用及び効果について重複する説明は省略する。
【０１１８】
本実施形態に係る規制部９６０は、図３４に示すように、端子金具９５８におけるパターン側接触部９５８ｃの延出先端部からＺ軸方向に沿って表側に向けて立ち上がる立ち上がり部６７と、立ち上がり部６７の先端から内向きに屈曲されてＹ軸方向に沿ってＬＥＤ基板側コネクタ９５５に接近するよう突出する突片部６８とから構成される。つまり、規制部９６０は、上記した実施形態３に記載した規制部２６０に突片部６８を追加した構成とされており、正面から視て略Ｌ字型をなしている。規制部９６０をなす突片部６８は、Ｚ軸方向についてＬＥＤ基板側コネクタ９５５の嵌合空間ＩＳと重なり合う位置関係とされており、詳しくは嵌合空間ＩＳにおけるほぼ中央位置に配されている。従って、ＬＥＤ基板側コネクタ９５５に対して給電基板側コネクタ９５４がＹ軸方向について位置ずれした場合、嵌合空間ＩＳに嵌合されない分岐部９５６は、立ち上がり部６７及び突片部６８の双方に干渉されるようになっており、その干渉面積が上記した実施形態３に記載した規制部２６０よりも大きなものとなっている。これにより、分岐部９５６の干渉に伴って規制部９６０が変形などされ難くなる。
【０１１９】
＜実施形態１１＞
本発明の実施形態１１を図３５によって説明する。この実施形態１１では、ＬＥＤ基板１０２５に対する給電基板１０４３の配置を変更したものを示す。なお、上記した実施形態１と同様の構造、作用及び効果について重複する説明は省略する。
【０１２０】
本実施形態に係る給電基板１０４３は、図３５に示すように、ＬＥＤ基板１０２５に対してシャーシ１０２２における長辺方向の端側から組み付けられる構成とされ、その組み付けに伴って各給電基板側コネクタ１０５４が各ＬＥＤ基板１０２５のＬＥＤ基板側コネクタ１０５５に対してシャーシ１０２２の長辺方向の端側から中央側に向けて凹凸嵌合されるようになっている。ＬＥＤ基板側コネクタ１０５５は、シャーシ１０２２の長辺方向の端側に向けて開口する形で嵌合空間（図示せず）を有している。給電基板１０４３は、その給電基板本体１０４３ａが各ＬＥＤ基板１０２５とは平面に視て非重畳とされており、各ＬＥＤ基板１０２５に対してシャーシ１０２２の長辺方向についての端側に隣り合う位置に配されている。このように給電基板１０４３をＬＥＤ基板１０２５に対してシャーシ１０２２における端側から組み付ける配置構成とすれば、ＬＥＤ基板側コネクタ１０５５と、Ｘ軸方向について隣り合う拡散レンズ１０２７（ＬＥＤ）との間の間隔を狭くすることができる。
【０１２１】
＜実施形態１２＞
本発明の実施形態１２を図３６または図３７によって説明する。この実施形態１２では、ＬＥＤ基板１１２５に対するＬＥＤ基板側コネクタ１１５５の固定構造を変更したものを示す。なお、上記した実施形態１と同様の構造、作用及び効果について重複する説明は省略する。
【０１２２】
本実施形態に係るＬＥＤ基板側コネクタ１１５５は、図３６及び図３７に示すように、ネジ部材６９によってＬＥＤ基板１１２５に対して取り付け状態に固定されている。詳しくは、ＬＥＤ基板側コネクタ１１５５のハウジング１１５７における両外側面からは、ＬＥＤ基板１１２５の板面に接する形で配されるネジ取付部７０がＹ軸方向に沿って外向きに延出して設けられている。ネジ取付部７０には、ネジ部材６９を通すためのネジ挿通孔７０ａが貫通形成されている。ＬＥＤ基板１１２５には、上記したネジ挿通孔７０ａに連通するネジ孔７１が形成されている。ネジ部材６９は、ネジ挿通孔７０ａに通されてからネジ孔７１に締め付けられることで、ネジ取付部７０をＬＥＤ基板１１２５との間で挟持し、もってＬＥＤ基板側コネクタ１１５５をＬＥＤ基板１１２５に対して固定することができる。そして、本実施形態に係る規制部１１６０は、ネジ取付部７０における前端部に連なる形で設けられている。この規制部１１６０に係る作用及び効果については、上記した実施形態２に記載した規制部１６０とほぼ同様であるから、重複する説明は割愛する。
【０１２３】
＜実施形態１３＞
本発明の実施形態１３を図３８によって説明する。この実施形態１３では、給電基板１２４３側に誤嵌合を規制するための給電基板側規制部７２を追加したものを示す。なお、上記した実施形態１と同様の構造、作用及び効果について重複する説明は省略する。
【０１２４】
本実施形態に係る給電基板１２４３には、図３８に示すように、給電基板側コネクタ１２５４に対してＹ軸方向、つまり一対の分岐部１２５６の並び方向について隣接する形で給電基板側規制部７２が設けられている。給電基板側規制部７２は、給電基板側コネクタ１２５４に対してＹ軸方向について両側に隣接する形（給電基板側コネクタ１２５４を両側方から挟み込む形）で一対配されている。給電基板側規制部７２は、給電基板１２４３の給電基板本体１２４３ａのうちシャーシ１２２２の長辺方向の外側を向いた側面からＸ軸方向に沿って外向きに突出する形で一体に設けられており、給電基板側コネクタ１２５４の分岐部１２５６に並行している。給電基板側規制部７２と隣り合う分岐部１２５６との間の間隔は、ＬＥＤ基板側コネクタ１２５５の周壁部１２５７ａにおける側壁部１２５７ａ２の厚み寸法よりもやや広い程度の大きさとされており、それにより各分岐部１２５６がＬＥＤ基板側コネクタ１２５５の各嵌合空間ＩＳに対して正規に嵌合されたときに、側壁部１２５７ａ２が分岐部１２５６と給電基板側規制部７２との間に入り込むことが許容されている。給電基板側規制部７２は、その前端面が分岐部１２５６の前端面とほぼ面一状をなしている。
【０１２５】
そして、給電基板側コネクタ１２５４をＬＥＤ基板側コネクタ１２５５に対して嵌合する作業を行う際に、給電基板側コネクタ１２５４がＹ軸方向について位置ずれしていて、嵌合空間ＩＳに嵌合され得る分岐部１２５６と、嵌合空間ＩＳに嵌合されない分岐部１２５６とが生じた場合には、嵌合されない分岐部１２５６がＬＥＤ基板側コネクタ１２５５側の一方の規制部１２６０に干渉するのに加えて、給電基板１２４３側の給電基板側規制部７２が周壁部１２５７ａのうち側壁部１２５７ａ２及び他方の規制部１２６０に対して干渉する。このように規制部１２６０及び給電基板側規制部７２によって二重に嵌合が規制されるから、誤嵌合をより確実に防止することができる。
【０１２６】
＜実施形態１４＞
本発明の実施形態１４を図３９によって説明する。この実施形態１４では、シャーシ１３２２側に誤嵌合を規制するためのシャーシ側規制部７３を追加したものを示す。なお、上記した実施形態１と同様の構造、作用及び効果について重複する説明は省略する。
【０１２７】
本実施形態に係るシャーシ１３２２には、図３９に示すように、ＬＥＤ基板側コネクタ１３５５に対してＹ軸方向、つまり一対の分岐部１３５６の並び方向について隣接する形でシャーシ側規制部７３が設けられている。本実施形態に係るＬＥＤ基板側コネクタ１３５５には、一方の外側面（図３９に示す上側の外側面）にのみ規制部１３６０が設けられており、他方の外側面（図３９に示す下側の外側面）には、規制部１３６０が設けられていない。シャーシ側規制部７３は、ＬＥＤ基板側コネクタ１３５５における他方の外側面に対してＹ軸方向について対向状をなす位置に配されている。シャーシ側規制部７３は、シャーシ１３２２の底板１３２２ａの一部に対して絞り加工を施すことで、底板１３２２ａからＺ軸方向に沿って表側（ＬＥＤ基板１３２５側）に突出する形で形成されている。シャーシ側規制部７３は、その前端位置がＬＥＤ基板側コネクタ１３５５の前端位置とほぼ面一状をなしている。また、ＬＥＤ基板１３２５には、シャーシ側規制部７３を通すための切欠部ＣＰが形成されている。ＬＥＤ基板１３２５をシャーシ１３２２に組み付ける際には、シャーシ側規制部７３に切欠部ＣＰの縁部を宛うことで、ＬＥＤ基板１３２５の位置決めを図ることができる。
【０１２８】
そして、給電基板側コネクタ１３５４をＬＥＤ基板側コネクタ１３５５に対して嵌合する作業を行う際に、給電基板側コネクタ１３５４がＹ軸方向について位置ずれしていて、嵌合空間ＩＳに嵌合され得る分岐部１３５６と、嵌合空間ＩＳに嵌合されない分岐部１３５６とが生じた場合には、嵌合されない分岐部１３５６が、ＬＥＤ基板側コネクタ１３５５側の規制部１３６０と、シャーシ１３２２側のシャーシ側規制部７３とのいずれか一方に対して干渉する。詳しくは、給電基板側コネクタ１３５４が図３９に示す上側に位置ずれした場合には、同図実線に示すように、嵌合されない同図上側の分岐部１３５６が規制部１３６０に干渉する。逆に、給電基板側コネクタ１３５４が図３９に示す下側に位置ずれした場合には、同図二点鎖線に示すように、嵌合されない同図下側の分岐部１３５６がシャーシ側規制部７３に干渉する。いずれにしても、規制部１３６０またはシャーシ側規制部７３によって嵌合が適切に規制され、誤嵌合を防止することができる。
【０１２９】
＜実施形態１５＞
本発明の実施形態１５を図４０から図４２によって説明する。この実施形態１５では、給電基板１４４３を表裏反転させた姿勢で組み付け作業を行うのを規制するための反転組付規制構造７４を追加したものを示す。なお、上記した実施形態１と同様の構造、作用及び効果について重複する説明は省略する。
【０１３０】
本実施形態に係る反転組付規制構造７４は、図４０に示すように、シャーシ１４２２側に設けられた反転組付規制凸部７４ａと、給電基板１４４３側に設けられるとともに反転組付規制凸部７４ａを受け入れ可能な反転組付規制凹部７４ｂとからなる。反転組付規制凹部７４ｂは、給電基板１４４３の給電基板本体１４４３ａにおける延在方向（Ｙ軸方向）についての一方の端部（図４０に示す上側の端部）の前側の角部を傾斜状に切り欠くことで形成されている。これに対し、反転組付規制凸部７４ａは、シャーシ１４２２の底板１４２２ａの一部に対して絞り加工を施すことで、底板１４２２ａからＺ軸方向に沿って表側（ＬＥＤ基板１４２５側）に突出する形で形成されており、その配置が正規に組み付けられた状態の給電基板１４４３における反転組付規制凹部７４ｂと平面に視て重畳する設定とされている。つまり、反転組付規制凸部７４ａは、底板１４２２ａにおいて、給電基板１４４３が正規に組み付けられ、給電基板側コネクタ１４５４がＬＥＤ基板側コネクタ１４５５に対して正規に嵌合されたとき、反転組付規制凹部７４ｂ内に受け入れられる位置に配されている。これにより、給電基板１４４３が正常な姿勢とされた場合には、給電基板１４４３の組み付けが許容されるようになっている。
【０１３１】
その一方、給電基板１４４３が正常な姿勢とは表裏に反転した姿勢のまま組み付けが行われた場合には、図４１に示すように、反転組付規制凹部７４ｂがＹ軸方向について反転組付規制凸部７４ａとは反対側（図４１に示す下側）に配されて反転組付規制凸部７４ａと非整合の関係となるから、給電基板１４４３の給電基板本体１４４３ａのうち反転組付規制凹部７４ｂとは反対側の端部が反転組付規制凸部７４ａに干渉することで、反転姿勢での組み付けが規制される。これにより、給電基板１４４３が正常な姿勢から表裏に反転した姿勢のまま組み付けが行われるのを防ぐことができ、接続不良の防止を図ることができる。
【０１３２】
また、給電基板側コネクタ１４５４をＬＥＤ基板側コネクタ１４５５に対して嵌合する作業を行う際に、給電基板側コネクタ１４５４がＹ軸方向について位置ずれしていて、嵌合空間ＩＳに嵌合され得る分岐部１４５６と、嵌合空間ＩＳに嵌合されない分岐部１４５６とが生じた場合には、図４２に示すように、嵌合されない分岐部１４５６がＬＥＤ基板側コネクタ１４５５の規制部１４６０に対して干渉することで、誤嵌合を防止することができる。
【０１３３】
＜他の実施形態＞
本発明は上記記述及び図面によって説明した実施形態に限定されるものではなく、例えば次のような実施形態も本発明の技術的範囲に含まれる。
（１）上記した各実施形態以外にも、ＬＥＤ基板の給電回路に係る具体的な構成は適宜に変更可能である。例えば、図４３及び図４４に示すように、ＬＥＤ駆動回路基板３０‐１に互いに電気的に独立した第１駆動部ＬＤ１及び第２駆動部ＬＤ２を設け、第１駆動部ＬＤ１を各図面の左側に配されたＬＥＤ基板２５‐１に、第２駆動部ＬＤ２を各図面の右側に配されたＬＥＤ基板２５‐１にそれぞれ電気的に接続するような構成とすることができる。この場合、第１駆動部ＬＤ１によって各図面の左側に配されたＬＥＤ基板２５‐１に配された各ＬＥＤ２４‐１が駆動されるのに対し、第２駆動部ＬＤ２によって各図面の右側に配されたＬＥＤ基板２５‐１に配された各ＬＥＤ２４‐１が駆動される。また、図４３及び図４４に係る給電回路では、一対の給電基板４３‐１間を中継接続する必要がないことから、上記した各実施形態に記載した中継配線が省略されている。
【０１３４】
（２）上記した（１）以外にも、ＬＥＤ基板の給電回路に係る具体的な構成はさらに変更可能である。例えば、図４５及び図４６に示すように、各ＬＥＤ基板２５‐２のうちシャーシ２２‐２における中央側、つまり給電基板４３‐２側とは反対側の端部に基板間コネクタＢＣをそれぞれ設け、隣接する基板間コネクタＢＣ同士を嵌合することで、Ｘ軸方向について隣り合うＬＥＤ基板２５‐２間を電気的に接続するような構成とすることができる。この場合、ＬＥＤ駆動回路基板３０‐２のＬＥＤ駆動部３０ｅ‐２によってＸ軸方向について隣り合うＬＥＤ基板２５‐２にそれぞれ設けられたＬＥＤ２４‐２が一括して駆動される。また、図４５及び図４６に係る給電回路では、一対の給電基板４３‐２間を中継接続する必要がないことから、上記した各実施形態に記載した中継配線が省略されている。
【０１３５】
（３）上記した（１），（２）以外にも、ＬＥＤ基板の給電回路に係る具体的な構成は適宜に変更可能である。
【０１３６】
（４）上記した各実施形態以外にも、規制部における具体的な形成範囲（幅寸法、高さ寸法、奥行き寸法など）、配置（Ｘ軸方向についての配置、Ｙ軸方向についての配置、Ｚ軸方向についての配置）、設置数、外形などは適宜に変更可能である。
【０１３７】
（５）上記した各実施形態（実施形態４を除く）では、規制部がＬＥＤ基板側コネクタの両外側面に対をなす形で配された場合を示したが、規制部をＬＥＤ基板側コネクタにおける片方の外側面にのみ配置したものも本発明に含まれる。この場合でも、シャーシ内に並列配置された複数のＬＥＤ基板側コネクタには、一方の外側面に規制部が設置されたＬＥＤ基板側コネクタと、上記した一方の外側面とは反対側の外側面に規制部が設置されたＬＥＤ基板側コネクタとが含まれるようにすれば、給電基板がＬＥＤ基板側コネクタの並び方向についてどちらに位置ずれした場合でも嵌合を規制することができるから、より好ましいものとされる。さらには、一方の外側面に規制部が設置されたＬＥＤ基板側コネクタと、他方の外側面に規制部が設置されたＬＥＤ基板側コネクタとを、シャーシ内においてＬＥＤ基板側コネクタの並列方向についての両端に配置すると、一層好ましい。
【０１３８】
（６）上記した各実施形態（実施形態４を除く）では、シャーシ内に並列配置された複数のＬＥＤ基板側コネクタの全てに規制部を設けたものを示したが、シャーシ内に並列配置された複数のＬＥＤ基板側コネクタに、規制部が設置されたものと、規制部が設置されないものとが混在する形で含まれる構成とすることも可能である。その場合でも、シャーシ内においてＬＥＤ基板側コネクタ（ＬＥＤ基板）の並び方向（Ｙ軸方向）について両端に位置する一対のＬＥＤ基板側コネクタに規制部を設けるようにすれば、ＬＥＤ基板側コネクタの並び方向に沿って延在する給電基板に撓みや反りが生じたときでも、規制部の嵌合規制機能がより確実に発揮されるから、より好ましいものとされる。
【０１３９】
（７）上記した各実施形態（実施形態４を除く）では、規制部がＬＥＤ基板側コネクタの外側面に１つ配された場合を示したが、規制部がＬＥＤ基板側コネクタの外側面に複数配されるものも本発明に含まれる。
【０１４０】
（８）上記した各実施形態（実施形態４を除く）では、給電基板側コネクタが二股状に分岐されて一対の分岐部からなるものを示したが、給電基板側コネクタを構成する分岐部の数は３つ以上とすることも可能である。
【０１４１】
（９）上記した各実施形態（実施形態４を除く）では、ＬＥＤ基板側コネクタに給電基板側コネクタの各分岐部が嵌合される嵌合空間を区分する区画壁部を設け、区画壁部が周壁部における底壁部と天井壁部との双方に連なる形態とされたものを示したが、区画壁部が底壁部と天井壁部とのいずれか一方にのみ連なる形態（隣り合う嵌合空間同士が連通する形態）とすることも可能である。また、区画壁部を省略したものも本発明に含まれる。
【０１４２】
（１０）上記した各実施形態（実施形態４を除く）では、ＬＥＤ基板側コネクタを構成するハウジングと端子金具とのいずれか一方に規制部を一体形成したものを示したが、ハウジングと端子金具とのそれぞれに規制部を一体形成するようにしてもよい。
【０１４３】
（１１）上記した各実施形態（実施形態４を除く）では、ＬＥＤ基板側コネクタを構成するハウジングと端子金具とのいずれか一方に規制部を一体形成したものを示したが、ＬＥＤ基板をＬＥＤ基板に固定する固定金具に規制部を一体形成することも可能である。
【０１４４】
（１２）上記した各実施形態（実施形態４を除く）では、ＬＥＤ基板側コネクタの構成部品（ハウジング、端子金具、固定金具など）に規制部を一体形成したものを示したが、規制部をＬＥＤ基板側コネクタの構成部品とは別体とし、上記構成部品に対して組み付けるようにしてもよい。
【０１４５】
（１３）上記した各実施形態（実施形態４を除く）では、ＬＥＤ基板側コネクタが凹状をなすのに対し、給電基板側コネクタが凸状をなす場合を示したが、凹凸関係を逆転させ、ＬＥＤ基板側コネクタを凸状とし、給電基板側コネクタを凹状とすることも可能である。
【０１４６】
（１４）上記した各実施形態（実施形態４を除く）では、ＬＥＤ基板側コネクタに対して給電基板側コネクタがＸ軸方向に沿って嵌合されるものを示したが、ＬＥＤ基板側コネクタに対して給電基板側コネクタがＺ軸方向に沿って表側から嵌合される構成としたものも本発明に含まれる。その場合でも、ＬＥＤ基板の並び方向であるＹ軸方向について給電基板側コネクタが位置ずれした場合に分岐部が干渉するよう規制部の配置を変更すればよい。
【０１４７】
（１５）上記した（５）〜（１４）に記載した技術事項は、実施形態４に記載したものにも適用可能である。その場合、上記した（５）〜（１４）において「ＬＥＤ基板側コネクタ」を「中継コネクタ」とし、「給電基板」を「ＬＥＤ基板」と、「給電基板側コネクタ」を「ＬＥＤ基板側コネクタ」として読み替えるようにすればよい。
【０１４８】
（１６）上記した各実施形態（実施形態３，１０を除く）では、ハウジングに一体形成した規制部の前端面がＬＥＤ基板側コネクタの前端面と面一状をなす構成のものを示したが、ハウジングに一体形成した規制部の前端面がＬＥＤ基板側コネクタの前端面よりも後側に引っ込んで配されるものや前側に突き出して配されるものも本発明に含まれる。
【０１４９】
（１７）上記した実施形態３，１０では、端子金具に一体形成した規制部の前端面がＬＥＤ基板側コネクタの前端面よりも後側に引っ込んで配される構成のものを示したが、端子金具に一体形成した規制部の前端面がＬＥＤ基板側コネクタの前端面と面一状をなすものや、ＬＥＤ基板側コネクタの前端面よりも前側に突き出して配されるものも本発明に含まれる。
【０１５０】
（１８）上記した実施形態７，９に記載した構成（規制部がＬＥＤ基板側コネクタの全高さ範囲にわたって配される構成）を、上記した実施形態３に記載した規制部に適用することができる。同様に、上記した実施形態１０に記載した構成（規制部が屈曲形状とされる構成）を、実施形態２，９，１２に記載した規制部に適用することができる。
【０１５１】
（１９）上記以外にも、各実施形態の構成を適宜に組み合わせることが可能である。例えば、上記した実施形態１３〜１５に記載した構成を、実施形態２〜１２に記載した構成と組み合わせることができる。
【０１５２】
（２０）上記した各実施形態（実施形態４を除く）では、給電基板をＬＥＤ駆動回路基板に配線を用いて接続するものを示したが、例えばシャーシの底板を内外に貫通する形で中継コネクタを設けるようにし、この中継コネクタにおけるシャーシ内に配された部分を給電基板側のコネクタに、シャーシ外に配された部分をＬＥＤ駆動回路基板側のコネクタにそれぞれ嵌合接続することも可能である。
【０１５３】
（２１）上記した各実施形態（実施形態４を除く）では、給電基板における表側を向いた板面に正極配線用給電基板コネクタ及び負極配線用給電基板コネクタが設けられたものを示したが、正極配線用給電基板コネクタ及び負極配線用給電基板コネクタが給電基板における裏側を向いた板面に設けられるものも本発明に含まれる。
【０１５４】
（２２）上記した各実施形態以外にも、シャーシにおけるＬＥＤ基板や基板保持部材の設置数や配置などは適宜に変更可能である。同様にＬＥＤ基板におけるＬＥＤ（拡散レンズ）の設置数や配置などは適宜に変更可能である。
【０１５５】
（２３）上記した各実施形態では、ＬＥＤの光出射側に拡散レンズを配したものを示したが、このような拡散レンズを省略した直下型のバックライト装置にも本発明は適用可能である。
【０１５６】
（２４）上記した各実施形態以外にも、ＬＥＤの具体的な構成（例えばＬＥＤチップの主発光波長、使用する蛍光体が発する光の波長範囲、使用する蛍光体の材料名など）は適宜に変更可能である。
【０１５７】
（２５）上記した各実施形態では、ＬＥＤに用いる蛍光体として、１つの色に係る光を発光する蛍光体を１種類のみ使用した場合を例示したが、同色の光を発光する蛍光体を２種類以上使用することも可能である。
【０１５８】
（２６）上記した各実施形態では、カラーフィルタの着色部として、光の三原色である赤色、緑色、青色に黄色を加えたものを示したが、黄色に代えてシアン色の着色部を加えるようにしてもよい。また、シアン色の着色部以外にも、透過光を着色することがない透明部を設けるようにしても構わない。
【０１５９】
（２７）上記した各実施形態以外にも、カラーフィルタを構成する４色の着色部の行方向についての配列順序は、適宜に変更可能である。また、４色の着色部を行方向に沿って並列する配置に限らず、４色の着色部を行列状に並ぶ構成とすることも可能である。
【０１６０】
（２８）上記した各実施形態では、カラーフィルタを構成する４色の着色部の面積比率が異なる構成のものを例示したが、４色の着色部の面積比率を等しくする構成とすることも可能である。
【０１６１】
（２９）上記した各実施形態では、カラーフィルタの着色部を４色とした場合を示したが、赤色、緑色、青色の３色の着色部からなるカラーフィルタを備えたものにも本発明は適用可能である。
【０１６２】
（３０）上記した各実施形態では、光源として白色発光するＬＥＤを用いたものを示したが、例えば、赤色光、緑色光、青色光をそれぞれ単色発光する３種類のＬＥＤを用いることも可能である。
【０１６３】
（３１）上記した各実施形態では、光源としてＬＥＤを用いたものを示したが、有機ＥＬなどの他の光源を用いることも可能である。
【０１６４】
（３２）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１６５】
（３３）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１６６】
（３４）上記した各実施形態では、表示パネルとして液晶パネルを用いた液晶表示装置を例示したが、他の種類の表示パネルを用いた表示装置にも本発明は適用可能である。
【０１６７】
（３５）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１６８】
１０…液晶表示装置（表示装置）、１１…液晶パネル（表示パネル）、１２…バックライト装置（照明装置）、２４，３２４…ＬＥＤ（光源）、２５，１２５，２２５，３２５，５２５，６２５，７２５，８２５，１０２５，１１２５，１３２５，１４２５…ＬＥＤ基板（光源基板）、４３，２４３，１０４３，１２４３，１４４３…給電基板（給電部材）、５４，１５４，２５４，４５４，５５４，６５４，９５４，１０５４，１２５４，１３５４，１４５４…給電基板側コネクタ（凸状接続部、給電側接続部）、５５，１５５，２５５，４５５，５５５，６５５，８５５，９５５，１０５５，１１５５，１２５５，１３５５，１４５５…ＬＥＤ基板側コネクタ（凹状接続部、光源基板側接続部）、５６，１５６，２５６，３５６，４５６，５５６，６５６，９５６，１２５６，１３５６，１４５６…分岐部（枝部）、５７，２５７，４５７，７５７，１１５７…ハウジング、５７ａ，２５７ａ，１２５７ａ…周壁部、５７ａ２，１５７ａ２，２５７ａ２，１２５７ａ２…側壁部、５８，２５８，９５８…端子金具、６０，１６０，２６０，３６０，４６０，５６０，６６０，７６０，８６０，９６０，１１６０，１２６０，１３６０，１４６０…規制部、６３…中継コネクタ（凹状接続部、給電側接続部）、６４…ハウジング、６５…端子金具、２５８ｂ…給電基板側接触部（給電側接触部）、２５８ｃ，９５８ｃ…パターン接触部（基板固定部）、３５５…ＬＥＤ基板側コネクタ（凸状接続部、光源基板側接続部）、ＩＳ…嵌合空間、ＩＳ１…第１嵌合空間（嵌合空間）、ＴＶ…テレビ受信装置
【図１】
2013229238.tif 000003
【図２】
2013229238.tif 000004
【図３】
2013229238.tif 000005
【図４】
2013229238.tif 000006
【図５】
2013229238.tif 000007
【図６】
2013229238.tif 000008
【図７】
2013229238.tif 000009
【図８】
2013229238.tif 000010
【図９】
2013229238.tif 000011
【図１０】
2013229238.tif 000012
【図１１】
2013229238.tif 000013
【図１２】
2013229238.tif 000014
【図１３】
2013229238.tif 000015
【図１４】
2013229238.tif 000016
【図１５】
2013229238.tif 000017
【図１６】
2013229238.tif 000018
【図１７】
2013229238.tif 000019
【図１８】
2013229238.tif 000020
【図１９】
2013229238.tif 000021
【図２０】
2013229238.tif 000022
【図２１】
2013229238.tif 000023
【図２２】
2013229238.tif 000024
【図２３】
2013229238.tif 000025
【図２４】
2013229238.tif 000026
【図２５】
2013229238.tif 000027
【図２６】
2013229238.tif 000028
【図２７】
2013229238.tif 000029
【図２８】
2013229238.tif 000030
【図２９】
2013229238.tif 000031
【図３０】
2013229238.tif 000032
【図３１】
2013229238.tif 000033
【図３２】
2013229238.tif 000034
【図３３】
2013229238.tif 000035
【図３４】
2013229238.tif 000036
【図３５】
2013229238.tif 000037
【図３６】
2013229238.tif 000038
【図３７】
2013229238.tif 000039
【図３８】
2013229238.tif 000040
【図３９】
2013229238.tif 000041
【図４０】
2013229238.tif 000042
【図４１】
2013229238.tif 000043
【図４２】
2013229238.tif 000044
【図４３】
2013229238.tif 000045
【図４４】
2013229238.tif 000046
【図４５】
2013229238.tif 000047
【図４６】
2013229238.tif 000048